(57)【要約】  本発明の実施の形態は撮影制御方法、装置、プログラム及び記録媒体を提供し、前記撮影制御方法は、自身が撮影状態にあるか否かをスマートモバイル端末が検出し、スマートモバイル端末は自身が撮影状態にあることを検出した場合、スマートウェアラブルデバイスを作動させてユーザの動作を検出する。スマートウェアラブルデバイスは採集した自身の運動軌跡をスマートモバイル端末に送信する。その後、前記運動軌跡が所定の運動軌跡であることをスマートモバイル端末が検出した場合、カメラアプリケーションを作動させて撮影を行う。上述した内容から分かるように、該当撮影制御方法はスマートウェアラブルデバイスによりユーザの動作を検出して、スマートモバイル端末を能動的に作動させて撮影を行うことにより、スマートモバイル端末がリモート撮影を行うことができ、撮影過程において、ユーザが手でスマートモバイル端末の撮影ボタンを作動させる必要がなく、操作が簡単で使いやすい。【選択図】図１
2017503444.tif 000002
【特許請求の範囲】
【請求項１】
スマートモバイル端末に応用される撮影制御方法であって、
スマートモバイル端末が撮影状態にあるか否かを検出するステップと、
スマートモバイル端末が撮影状態にあることを検出した場合、スマートウェアラブルデバイスが自身の運動軌跡を採集するための動作採集命令を前記スマートウェアラブルデバイスに送信するステップと、
前記スマートウェアラブルデバイスが採集した運動軌跡を受信し、且つ前記運動軌跡が所定の運動軌跡であるか否かを判断するステップと、
前記運動軌跡が所定の運動軌跡である場合、前記スマートモバイル端末を作動させて撮影を行うステップと
を含むことを特徴とする撮影制御方法。
【請求項２】
前記運動軌跡が所定の運動軌跡ではない場合、前記スマートウェアラブルデバイスが送信した次の運動軌跡を受信したか否かをモニタリングするステップと、
前記スマートウェアラブルデバイスが送信した前記次の運動軌跡を受信した場合、前記運動軌跡が所定の運動軌跡であるか否かを判断するステップに戻って該ステップを実行するステップと
をさらに含むことを特徴とする請求項１に記載の方法。
【請求項３】
前記運動軌跡が所定の運動軌跡である場合、前記スマートウェアラブルデバイスが操作者に現在の撮影作動が成功したことを通知するための第１命令を前記スマートウェアラブルデバイスに送信するステップ
をさらに含むことを特徴とする請求項１に記載の方法。
【請求項４】
前記スマートモバイル端末が撮影状態から非撮影状態に切り替わったことを検出した場合、前記スマートウェアラブルデバイスが前記運動軌跡をリアルタイムに送信することを停止させるための検出停止命令を前記スマートウェアラブルデバイスに送信するステップ
をさらに含むことを特徴とする請求項１に記載の方法。
【請求項５】
前記運動軌跡が所定の運動軌跡である場合、前記スマートモバイル端末を作動させて撮影を行うステップは、
第１の所定の時間内に受信したスマートウェアラブルデバイスの一つの運動軌跡が前記所定の運動軌跡である場合、前記スマートモバイル端末を作動させてシングル撮影を行い、第１の所定の時間内に受信した前記スマートウェアラブルデバイスの少なくとも二つの運動軌跡が所定の運動軌跡である場合、前記スマートモバイル端末を作動させて連写を行うステップ、
または、
前記所定の運動軌跡は第１の所定の運動軌跡及び第２の所定の運動軌跡を含み、前記運動軌跡が前記第１の所定の運動軌跡である場合、前記スマートモバイル端末を作動させてシングル撮影を行い、前記運動軌跡が前記第２の所定の運動軌跡である場合、前記スマートモバイル端末を作動させて連写を行うステップ
を含むことを特徴とする請求項１に記載の方法。
【請求項６】
所定の運動軌跡を設定する操作者の操作を受信し、前記操作に基づいて動作設定命令を生成するステップと、
前記スマートウェアラブルデバイスが自身の現在の運動軌跡を採集するように、前記スマートウェアラブルデバイスに前記動作設定命令を送信するステップと、
前記スマートウェアラブルデバイスが採集した前記現在の運動軌跡を受信し、且つ前記現在の運動軌跡を、前記スマートモバイル端末を作動させて撮影を行うための前記所定の運動軌跡に設定するステップと
をさらに含むことを特徴とする請求項１に記載の方法。
【請求項７】
スマートウェアラブルデバイスに応用される撮影制御方法であって、
スマートモバイル端末が送信した、前記スマートモバイル端末により自身が撮影状態にあることを検出した際に生成した動作採集命令を受信するステップと、
前記動作採集命令に基づいて自身の運動軌跡を採集し、且つ前記運動軌跡が所定の運動軌跡であることを前記スマートモバイル端末が判断した際に前記スマートモバイル端末を作動させて撮影を行うように、採集した前記運動軌跡を前記スマートモバイル端末に送信するステップと
を含むことを特徴とする撮影制御方法。
【請求項８】
前記スマートモバイル端末が送信した、前記スマートモバイル端末により自身が撮影状態から非撮影状態に切り替わったことを検出した際に生成した検出停止命令を受信し、且つ前記検出停止命令に基づいて、自身の運動軌跡をリアルタイムに送信することを停止するステップ、
または、
前記動作採集命令を受信した後の第２の所定の時間内に前記スマートモバイル端末が送信した前記検出停止命令が受信されていない場合、自身の運動軌跡をリアルタイムに送信することを停止するステップ
をさらに含むことを特徴とする請求項７に記載の方法。
【請求項９】
前記スマートモバイル端末が送信した、前記スマートモバイル端末により前記運動軌跡が所定の運動軌跡であることを検出した際に生成した第１命令を受信し、且つ前記第１命令に基づいて、前記操作者に現在の撮影作動が成功したことを通知するステップ
をさらに含むことを特徴とする請求項７に記載の方法。
【請求項１０】
前記スマートモバイル端末が送信した、前記スマートモバイル端末により操作者の動作設定操作を検出した際に生成した動作設定命令を受信するステップと、
前記動作設定命令に基づいて自身の現在の運動軌跡を検出し、且つ前記スマートモバイル端末が前記現在の移動軌跡を所定の運動軌跡に設定するように、前記現在の運動軌跡を前記スマートモバイル端末に送信するステップと
をさらに含むことを特徴とする請求項７に記載の方法。
【請求項１１】
スマートモバイル端末が撮影状態にあるか否かを検出する、第１検出モジュールと、
前記スマートモバイル端末が撮影状態にある場合、スマートウェアラブルデバイスが自身の運動軌跡を採集するための動作採集命令を前記スマートウェアラブルデバイスに送信する、第１送信モジュールと、
前記スマートウェアラブルデバイスが採集した運動軌跡を受信する、第１受信モジュールと、
前記運動軌跡が所定の運動軌跡であるか否かを判断する、第１判断モジュールと、
前記運動軌跡が所定の運動軌跡である場合、前記スマートモバイル端末を作動させて撮影を行う、作動モジュールと
を備えることを特徴とする撮影制御装置。
【請求項１２】
前記運動軌跡が所定の運動軌跡ではない場合、前記スマートウェアラブルデバイスが送信した次の運動軌跡を受信したか否かをモニタリングし、前記スマートウェアラブルデバイスが送信した前記次の運動軌跡を受信した場合、前記第１判断モジュールにより前記次の運動軌跡が所定の運動軌跡であるか否かを判断させる、第２判断モジュール
をさらに備えることを特徴とする請求項１１に記載の装置。
【請求項１３】
前記運動軌跡が所定の運動軌跡である場合、前記スマートウェアラブルデバイスが操作者に現在の撮影作動が成功したことを通知するための第１命令を前記スマートウェアラブルデバイスに送信する、第２送信モジュール
をさらに備えることを特徴とする請求項１１に記載の装置。
【請求項１４】
前記スマートモバイル端末が撮影状態から非撮影状態に切り替わったか否かを検出する、第２検出モジュールと、
前記スマートモバイル端末が撮影状態から非撮影状態に切り替わったことを検出した場合、前記スマートウェアラブルデバイスが前記運動軌跡をリアルタイムに送信することを停止させるための検出停止命令を前記スマートウェアラブルデバイスに送信する、第３送信モジュールと
をさらに備えることを特徴とする請求項１１に記載の装置。
【請求項１５】
前記作動モジュールは、第１作動サブモジュール及び第２作動サブモジュールを有し、
前記第１作動サブモジュールは、第１の所定の時間内に受信したスマートウェアラブルデバイスの一つの運動軌跡が前記所定の運動軌跡である場合、前記スマートモバイル端末を作動させてシングル撮影を行うことに用いられ、
前記第２作動サブモジュールは、第１の所定の時間内に受信した前記スマートウェアラブルデバイスの少なくとも二つの運動軌跡が所定の運動軌跡である場合、前記スマートモバイル端末を作動させて連写を行うことに用いられ、
または、
前記所定の運動軌跡が第１の所定の運動軌跡及び第２の所定の運動軌跡を含む場合、前記作動モジュールは、第三作動サブモジュール及び第４作動サブモジュールを有し、
前記第三作動サブモジュールは、前記運動軌跡が前記第１の所定の運動軌跡である場合、前記スマートモバイル端末を作動させてシングル撮影を行うことに用いられ、
前記第４作動サブモジュールは、前記運動軌跡前記が第２の所定の運動軌跡である場合、前記スマートモバイル端末を作動させて連写を行うことに用いられる
ことを特徴とする請求項１１に記載の装置。
【請求項１６】
所定の運動軌跡を設定する操作者の操作を受信し、前記操作に基づいて動作設定命令を生成する、設定命令生成モジュールと、
前記スマートウェアラブルデバイスが自身の現在の運動軌跡を検出するように、前記スマートウェアラブルデバイスに前記動作設定命令を送信する、第４送信モジュールと、
前記スマートウェアラブルデバイスが送信した前記現在の運動軌跡を受信し、且つ前記現在の運動軌跡を前記所定の運動軌跡に設定する、第２受信モジュールと
をさらに備えることを特徴とする請求項１１に記載の装置。
【請求項１７】
スマートウェアラブルデバイスに応用される撮影制御装置であって、
スマートモバイル端末が送信した、スマートモバイル端末により自身が撮影状態にあることを検出した際に生成した動作採集命令を受信する、第１受信モジュールと、
前記動作採集命令に基づいて自身の運動軌跡を採集する、第１採集モジュールと、
前記運動軌跡が所定の運動軌跡であることを前記スマートモバイル端末が判断した際に前記スマートモバイル端末を作動させて撮影を行うように、前記運動軌跡を前記スマートモバイル端末に送信する、第１送信モジュールと
を備えることを特徴とする撮影制御装置。
【請求項１８】
前記スマートモバイル端末が送信した検出停止命令を受信する、第２受信モジュールと、
前記スマートモバイル端末により自身が撮影状態から非撮影状態に切り替わったことを検出した際に生成した前記検出停止命令に基づいて、自身の運動軌跡をリアルタイムに送信することを停止させる、第１終了モジュールと、
または、
前記動作採集命令を受信した後の第２の所定の時間内に前記スマートモバイル端末が送信した前記検出停止命令が受信されていない場合、自身の運動軌跡をリアルタイムに送信することを停止させる、第２終了モジュールと
をさらに備えることを特徴とする請求項１７に記載の装置。
【請求項１９】
前記スマートモバイル端末が送信した、前記運動軌跡が所定の運動軌跡であることを前記スマートモバイル端末が検出した際に生成した第１命令を受信する、第３受信モジュールと、
前記第１命令に基づいて前記操作者に現在の撮影作動が成功したことを通知する、通知モジュールと
をさらに備えることを特徴とする請求項１７に記載の装置。
【請求項２０】
スマートモバイル端末が送信した、前記スマートモバイル端末により操作者の動作設定操作を検出した際に生成した動作設定命令を受信する、第４受信モジュールと、
前記動作設定命令に基づいて自身の現在の運動軌跡を検出し、且つ前記スマートモバイル端末が前記現在の移動軌跡を所定の運動軌跡に設定するように、前記現在の運動軌跡を前記スマートモバイル端末に送信する、第２検出モジュールと
をさらに備えることを特徴とする請求項１７に記載の装置。
【請求項２１】
スマートモバイル端末であって、
プロセッサと、
プロセッサにより実行可能な命令を記憶するためのメモリと、を備え、
前記プロセッサは、
スマートモバイル端末が撮影状態にあるか否かを検出し、
スマートモバイル端末が撮影状態にあることを検出した場合、スマートウェアラブルデバイスが自身の運動軌跡を採集するための動作採集命令を前記スマートウェアラブルデバイスに送信し、
前記スマートウェアラブルデバイスが採集した運動軌跡を受信して、前記運動軌跡が所定の運動軌跡であるか否かを判断し、
前記運動軌跡が所定の運動軌跡である場合、前記スマートモバイル端末を作動させて撮影を行うように構成される
ことを特徴とするスマートモバイル端末。
【請求項２２】
スマートウェアラブルデバイスであって、
プロセッサと、
プロセッサにより実行可能な命令を記憶するためのメモリと、を備え、
前記プロセッサは、
スマートモバイル端末が送信した、前記スマートモバイル端末により自身が撮影状態にあることを検出した際に生成した動作採集命令を受信し、
前記動作採集命令に基づいて自身の運動軌跡を採集し、且つ前記運動軌跡が所定の運動軌跡であることを前記スマートモバイル端末が判断した際に前記スマートモバイル端末を作動させて撮影を行うように、採集した前記運動軌跡を前記スマートモバイル端末に送信するように構成される
ことを特徴とするスマートウェアラブルデバイス。
【発明の詳細な説明】
【技術分野】
【０００１】
本発明は、スマートモバイル端末の技術分野に関し、特に撮影制御方法及び装置に関する。
【背景技術】
【０００２】
スマートモバイル端末の撮影技術の急速な発展に伴い、益々多くの人がスマートモバイル端末を使用して撮影する。
【発明の開示】
【発明が解決しようとする課題】
【０００３】
スマートモバイル端末を使用して自撮りをする際、片手でスマートモバイル端末を持ち、もう一方の手で撮影ボタンを押す必要があるため、操作が繁雑である。また、例えば、ユーザがタブレットＰＣ等のスクリーンが大きい、比較的重いスマートモバイル端末を使用して撮影する場合、両手でスマートモバイル端末を持つ必要があるため、撮影ボタンを押すことができず、撮影が極めて不便である。
【課題を解決するための手段】
【０００４】
関連技術に存在する問題を解決するために、本発明は撮影制御方法及び装置を提供する。その技術案は以下の通りである。
本発明の実施の形態の第１の態様によれば、スマートモバイル端末に応用される撮影制御方法であって、
スマートモバイル端末が撮影状態にあるか否かを検出するステップと、
スマートモバイル端末が撮影状態にあることを検出した場合、スマートウェアラブルデバイスが自身の運動軌跡を採集する（収集する）ための動作採集命令を前記スマートウェアラブルデバイスに送信するステップと、
前記スマートウェアラブルデバイスが採集した運動軌跡を受信し、且つ前記運動軌跡がプリセット運動軌跡（所定の運動軌跡）であるか否かを判断するステップと、
前記運動軌跡がプリセット運動軌跡である場合、前記スマートモバイル端末を作動させて撮影を行うステップと、を含む撮影制御方法を提供する。
【０００５】
第１の態様に関して、第１の態様の第１の実現可能な形態において、前記方法は、
前記運動軌跡がプリセット運動軌跡ではない場合、前記スマートウェアラブルデバイスが送信した次回の（次の）運動軌跡を受信したか否かをモニタリングするステップと、
前記スマートウェアラブルデバイスが送信した前記次回の運動軌跡を受信した場合、前記運動軌跡がプリセット運動軌跡であるか否かを判断するステップに戻って該ステップを実行するステップと、をさらに含む。
【０００６】
第１の態様に関して、第１の態様の第２の実現可能な形態において、前記方法は、
前記運動軌跡がプリセット運動軌跡である場合、前記スマートウェアラブルデバイスが操作者に現在の撮影作動（撮影の発動）が成功したことを通知するための第１命令を前記スマートウェアラブルデバイスに送信するステップをさらに含む。
第１の態様に関して、第１の態様の第３の実現可能な形態において、前記方法は、
前記スマートモバイル端末が撮影状態から非撮影状態に切り替わったことを検出した場合、前記スマートウェアラブルデバイスが前記運動軌跡をリアルタイムに送信することを停止させるための検出停止命令を前記スマートウェアラブルデバイスに送信するステップをさらに含む。
【０００７】
第１の態様に関して、第１の態様の第４の実現可能な形態において、前記運動軌跡がプリセット運動軌跡である場合、前記スマートモバイル端末を作動させて撮影を行うステップは、
第１のプリセット時間（所定の時間）内に受信したスマートウェアラブルデバイスの一つの運動軌跡が前記のプリセット運動軌跡である場合、前記スマートモバイル端末を作動させてシングル撮影を行い、第１のプリセット時間内に受信した前記スマートウェアラブルデバイスの少なくとも二つの運動軌跡がプリセット運動軌跡である場合、前記スマートモバイル端末を作動させて連写を行うステップ、
または、
前記のプリセット運動軌跡は第１のプリセット運動軌跡及び第２のプリセット運動軌跡を含み、前記運動軌跡が前記第１のプリセット運動軌跡である場合、前記スマートモバイル端末を作動させてシングル撮影を行い、前記運動軌跡が前記第２のプリセット運動軌跡である場合、前記スマートモバイル端末を作動させて連写を行うステップを含む。
第１の態様に関して、第１の態様の第５の実現可能な形態において、前記方法は、
操作者によるプリセット運動軌跡を設定する操作を受信し、前記操作に基づいて動作設定命令を生成するステップと、
前記スマートウェアラブルデバイスが自身の現在の運動軌跡を採集するように、前記スマートウェアラブルデバイスに前記動作設定命令を送信するステップと、
前記スマートウェアラブルデバイスが採集した前記の現在の運動軌跡を受信し、且つ前記の現在の運動軌跡を、前記スマートモバイル端末を作動させて撮影を行うための前記のプリセット運動軌跡に設定するステップと、をさらに含む。
【０００８】
本発明の実施の形態の第２の態様によれば、スマートウェアラブルデバイスに応用される撮影制御方法であって、
スマートモバイル端末が送信した、前記スマートモバイル端末により自身が撮影状態にあることを検出した際に生成した動作採集命令を受信するステップと、
前記動作採集命令に基づいて自身の運動軌跡を採集し、且つ前記運動軌跡がプリセット運動軌跡であることを前記スマートモバイル端末が判断した際に前記スマートモバイル端末を作動させて撮影を行うように、採集した前記運動軌跡を前記スマートモバイル端末に送信するステップと、を含む撮影制御方法を提供する。
【０００９】
第２の態様に関して、第２の態様の第１の実現可能な形態において、前記方法は、
前記スマートモバイル端末が送信した、前記スマートモバイル端末により自身が撮影状態から非撮影状態に切り替わったことを検出したした際に生成した検出停止命令を受信し、且つ前記検出停止命令に基づいて自身の運動軌跡をリアルタイムに送信することを停止するステップ、
または、
前記動作採集命令を受信した後の第２のプリセット時間内に前記スマートモバイル端末が送信した前記検出停止命令が受信されていない場合、自身の運動軌跡をリアルタイムに送信することを停止するステップをさらに含む。
【００１０】
第２の態様に関して、第２の態様の第２の実現可能な形態において、前記方法は、
前記スマートモバイル端末が送信した、前記スマートモバイル端末により前記運動軌跡がプリセット運動軌跡であることを検出した際に生成した第１命令を受信し、且つ前記第１命令に基づいて前記操作者に現在の撮影作動が成功したことを通知するステップをさらに含む。
第２の態様に関して、第２の態様の第３の実現可能な形態において、前記方法は、
前記スマートモバイル端末が送信した、前記スマートモバイル端末により操作者の動作設定操作を検出した際に生成した動作設定命令を受信するステップと、
前記動作設定命令に基づいて自身の現在の運動軌跡を検出し、且つ前記スマートモバイル端末が前記の現在の移動軌跡をプリセット運動軌跡に設定するように、前記の現在の運動軌跡を前記スマートモバイル端末に送信するステップと、をさらに含む。
【００１１】
本発明の実施の形態の第３の態様によれば、撮影制御装置であって、
スマートモバイル端末が撮影状態にあるか否かを検出する、第１検出モジュールと、
前記スマートモバイル端末が撮影状態にある場合、スマートウェアラブルデバイスが自身の運動軌跡を採集するための動作採集命令を前記スマートウェアラブルデバイスに送信する、第１送信モジュールと、
前記スマートウェアラブルデバイスが採集した運動軌跡を受信する、第１受信モジュールと、
前記運動軌跡がプリセット運動軌跡であるか否かを判断する、第１判断モジュールと、
前記運動軌跡がプリセット運動軌跡である場合、前記スマートモバイル端末を作動させて撮影を行う、作動モジュールと、を備える撮影制御装置を提供する。
【００１２】
第３の態様に関して、第３の態様の第１の実現可能な形態において、前記装置は、
前記運動軌跡がプリセット運動軌跡ではない場合、前記スマートウェアラブルデバイスが送信した次回の運動軌跡を受信したか否かをモニタリングし、前記スマートウェアラブルデバイスが送信した前記の次回の運動軌跡を受信した場合、前記第１判断モジュールにより前記の次回の運動軌跡がプリセット運動軌跡であるか否かを判断させる、第２判断モジュールをさらに備える。
第３の態様に関して、第３の態様の第２の実現可能な形態において、前記装置は、
前記運動軌跡がプリセット運動軌跡である場合、前記スマートウェアラブルデバイスが操作者に現在の撮影作動が成功したことを通知するための第１命令を前記スマートウェアラブルデバイスに送信する、第２送信モジュールをさらに備える。
【００１３】
第３の態様に関して、第３の態様の第３の実現可能な形態において、前記装置は、
前記スマートモバイル端末が撮影状態から非撮影状態に切り替わったか否かを検出する、第２検出モジュールと、
前記スマートモバイル端末が撮影状態から非撮影状態に切り替わったことを検出した場合、前記スマートウェアラブルデバイスが前記運動軌跡をリアルタイムに送信することを停止させるための検出停止命令を前記スマートウェアラブルデバイスに送信する、第３送信モジュールと、をさらに備える。
【００１４】
第３の態様に関して、第３の態様の第４の実現可能な形態において、前記作動モジュールは、第１作動サブモジュール及び第２作動サブモジュールを有し、
前記第１作動サブモジュールは、第１のプリセット時間内に受信したスマートウェアラブルデバイスの一つの運動軌跡が前記のプリセット運動軌跡である場合、前記スマートモバイル端末を作動させてシングル撮影を行うことに用いられ、
前記第２作動サブモジュールは、第１のプリセット時間内に受信した前記スマートウェアラブルデバイスの少なくとも二つの運動軌跡がプリセット運動軌跡である場合、前記スマートモバイル端末を作動させて連写を行うことに用いられ、
または、
前記のプリセット運動軌跡が第１のプリセット運動軌跡及び第２のプリセット運動軌跡を含む場合、前記作動モジュールは、第三作動サブモジュール及び第４作動サブモジュールを有し、
前記第三作動サブモジュールは、前記運動軌跡が前記第１のプリセット運動軌跡である場合、前記スマートモバイル端末を作動させてシングル撮影を行うことに用いられ、
前記第４作動サブモジュールは、前記運動軌跡が第２のプリセット運動軌跡である場合、前記スマートモバイル端末を作動させて連写を行うことに用いられる。
【００１５】
第３の態様に関して、第３の態様の第５の実現可能な形態において、前記装置は、
プリセット運動軌跡を設定する操作者の操作を受信し、前記操作に基づいて動作設定命令を生成する、設定命令生成モジュールと、
前記スマートウェアラブルデバイスが自身の現在の運動軌跡を検出するように、前記スマートウェアラブルデバイスに前記動作設定命令を送信する、第４送信モジュールと、
前記スマートウェアラブルデバイスが送信した前記の現在の運動軌跡を受信し、且つ前記の現在の運動軌跡を前記のプリセット運動軌跡に設定する、第２受信モジュールと、をさらに備える。
【００１６】
本発明の実施の形態の第４の態様によれば、スマートウェアラブルデバイスに応用される撮影制御装置であって、
スマートモバイル端末が送信した、前記スマートモバイル端末により自身が撮影状態にあることを検出した際に生成した動作採集命令を受信する、第１受信モジュールと、
前記動作採集命令に基づいて自身の運動軌跡を採集する、第１採集モジュールと、
前記運動軌跡がプリセット運動軌跡であることを前記スマートモバイル端末が判断した際に前記スマートモバイル端末を作動させて撮影を行うように、前記運動軌跡を前記スマートモバイル端末に送信するための第１送信モジュールと、を備える撮影制御装置を提供する。
【００１７】
第４の態様に関して、第４の態様の第１の実現可能な形態において、前記装置は、
前記スマートモバイル端末が送信した検出停止命令を受信する、第２受信モジュールと、
前記スマートモバイル端末により自身が撮影状態から非撮影状態に切り替わったことを検出したした際に生成した前記検出停止命令に基づいて、自身の運動軌跡をリアルタイムに送信することを停止させる、第１終了モジュールと、
または、
前記動作採集命令を受信した後の第２のプリセット時間内に前記スマートモバイル端末が送信した前記検出停止命令が受信されていない場合、自身の運動軌跡をリアルタイムに送信することを停止させる、第２終了モジュールと、をさらに備える。
第４の態様に関して、第４の態様の第２の実現可能な形態において、前記装置は、
前記スマートモバイル端末が送信した、前記スマートモバイル端末により前記運動軌跡がプリセット運動軌跡であることを検出した際に生成した第１命令を受信する、第３受信モジュールと、
前記第１命令に基づいて前記操作者に現在の撮影作動が成功したことを通知する、通知モジュールと、をさらに備える。
【００１８】
第４の態様に関して、第４の態様の第３の実現可能な形態において、前記装置は、
スマートモバイル端末が送信した、前記スマートモバイル端末により操作者の動作設定操作を検出した際に生成した動作設定命令を受信する、第４受信モジュールと、
前記動作設定命令に基づいて自身の現在の運動軌跡を検出し、且つ前記スマートモバイル端末が前記の現在の移動軌跡をプリセット運動軌跡に設定するように、前記の現在の運動軌跡を前記スマートモバイル端末に送信する、第２検出モジュールと、をさらに備える。
【００１９】
本発明の実施の形態の第５の態様によれば、プロセッサと、プロセッサにより実行可能な命令を記憶するためのメモリとを備えるスマートモバイル端末であって、前記プロセッサは、
スマートモバイル端末が撮影状態にあるか否かを検出し、
スマートモバイル端末が撮影状態にあることを検出した場合、スマートウェアラブルデバイスが自身の運動軌跡を採集するための動作採集命令を前記スマートウェアラブルデバイスに送信し、
前記スマートウェアラブルデバイスが採集した運動軌跡を受信し、且つ前記運動軌跡がプリセット運動軌跡であるか否かを判断し、
前記運動軌跡がプリセット運動軌跡である場合、前記スマートモバイル端末を作動させて撮影を行うように構成される、スマートモバイル端末を提供する。
【００２０】
本発明の実施の形態の第６の態様によれば、プロセッサと、プロセッサにより実行可能な命令を記憶するためのメモリとを備えるスマートウェアラブルデバイスであって、前記プロセッサは、
スマートモバイル端末が送信した、スマートモバイル端末により自身が撮影状態にあることを検出した際に生成した動作採集命令を受信し、
前記動作採集命令に基づいて自身の運動軌跡を採集し、且つ前記運動軌跡がプリセット運動軌跡であることを前記スマートモバイル端末が判断した際に前記スマートモバイル端末を作動させて撮影を行うように、採集した前記運動軌跡を前記スマートモバイル端末に送信するように構成される、スマートウェアラブルデバイスを提供する。
【発明の効果】
【００２１】
本発明の実施の形態に係る技術案によれば、下記の有益な効果が期待される。前記撮影制御方法は、スマートウェアラブルデバイスを通じて、スマートモバイル端末を作動させて撮影を行う。スマートモバイル端末は自身が撮影状態にあることを検出した場合、スマートウェアラブルデバイスを作動させて自身の運動軌跡を採集する。スマートウェアラブルデバイスは採集した運動軌跡をスマートモバイル端末に送信する。その後、前記運動軌跡がプリセット運動軌跡であることをスマートモバイル端末が検出した場合、スマートモバイル端末を作動させて撮影を行う。上述した内容から分かるように、当該撮影制御方法は、スマートウェアラブルデバイスによりユーザの動作を検出して、スマートモバイル端末を自動的に作動させて撮影を行うことにより、スマートモバイル端末がリモート撮影を行うことができ、撮影過程において、ユーザは手でスマートモバイル端末の撮影ボタンを作動させる必要がなく、操作が簡単で使いやすい。
以上の一般的な記述と、以下の詳細の記述は、ただ例示的なものであって、本発明を限定するものではないことを理解すべきである。
【図面の簡単な説明】
【００２２】
ここの図面は、明細書に組み入れて本明細書の一部分を構成し、本発明に該当する実施の形態を例示するとともに、明細書とともに本発明の原理を解釈するために用いられる。
【図１】例示的な一実施の形態に係る一つの撮影制御方法を示すフローチャートである。
【図２】例示的な一実施の形態に係る他の一つの撮影制御方法を示すフローチャートである。
【図３】例示的な一実施の形態に係る他の一つの撮影制御方法を示すフローチャートである。
【図４】例示的な一実施の形態に係る一つの撮影制御方法を示すフローチャートである。
【図５】例示的な一実施の形態に係る他の一つの撮影制御方法を示すフローチャートである。
【図６】例示的な一実施の形態に係る他の一つの撮影制御方法を示すフローチャートである。
【図７】例示的な一実施の形態に係る一つの撮影制御方法を示すフローチャートである。
【図８】例示的な一実施の形態に係る一つの撮影制御装置を示すブロック図である。
【図９】例示的な一実施の形態に係る他の一つの撮影制御装置を示すブロック図である。
【図１０】例示的な一実施の形態に係る他の一つの撮影制御装置を示すブロック図である。
【図１１】例示的な一実施の形態に係る他の一つの撮影制御装置を示すブロック図である。
【図１２】例示的な一実施の形態に係る他の一つの撮影制御装置を示すブロック図である。
【図１３】例示的な一実施の形態に係る一つの撮影制御装置を示すブロック図である。
【図１４】例示的な一実施の形態に係る他の一つの撮影制御装置を示すブロック図である。
【図１５】例示的な一実施の形態に係る他の一つの撮影制御装置を示すブロック図である。
【図１６】例示的な一実施の形態に係る他の一つの撮影制御装置を示すブロック図である。
【図１７】例示的な一実施の形態に係る一つの撮影制御方法を実行するための装置を示すブロック図である。以上の図面を通じて、本発明の実施の形態を例示しているが、そのさらに具体的な内容については後述する。これらの図面は、本発明の趣旨の範囲を限定するためのものではなく、特定の実施の形態を参照として、当業者に本発明のコンセプトを理解させるためのものである。
【発明を実施するための形態】
【００２３】
ここで、図面に示される例示的な実施の形態について詳細に説明する。以下、図面に関連して説明する際に、特別な説明がない限り、異なる図面での同一符号は、同一または類似な要素を示す。以下の例示的な実施の形態で記載する実装は、本発明に一致する全ての実装を代表するわけではない。かえって、それらは、添付される特許請求の範囲で詳細に記載される本発明の一部の態様に一致する装置、及び方法の例に過ぎない。
図１は例示的な一実施の形態に係る一つの撮影制御方法を示すフローチャートである。該方法はスマートモバイル端末（移動インテリジェント端末）に応用される。前記スマートモバイル端末はスマートフォン、タブレットＰＣなどであってもよく、本発明の実施の形態はスマートフォンを例として説明する。図１に示すように、前記方法は以下のようなステップを含むことができる。
【００２４】
ステップＳ１１０において、スマートモバイル端末が撮影状態にあるか否かを検出する。撮影状態にある場合、ステップＳ１２０を実行し、非撮影状態にある場合、今回のプロセスを終了させる。
本発明の一つの実施の形態において、スマートモバイル端末はカメラアプリケーションが呼び出されたか否かを判断することができ、呼び出されたと判断される場合、スマートモバイル端末が撮影状態にあると確定し、呼び出されていないと判断される場合、スマートモバイル端末が非撮影状態にあると確定する。
本発明の他の一つの実施の形態において、スマートモバイル端末は更にカメラアプリケーションによりディスプレイが呼び出されたか否かを判断することができ、呼び出されたと判断される場合、スマートモバイル端末が撮影状態にあると確定し、呼び出されていないと判断される場合、スマートモバイル端末が非撮影状態にあると確定する。
【００２５】
ステップＳ１２０において、スマートウェアラブルデバイス（インテリジェントウェアブルデバイス）に動作採集命令を送信する。前記動作採集命令は、前記スマートウェアラブルデバイスが自身の運動軌跡を採集するためのものである。
スマートモバイル端末が撮影状態にあることを検出した後、スマートウェアラブルデバイスに動作採集命令を送信し、スマートウェアラブルデバイスは該動作採集命令を受信した後、スマートウェアラブルデバイスの運動軌跡を検出し始める。該運動軌跡は、操作者がスマートウェアラブルデバイスを装着した部位の動作を反映する。
前記スマートウェアラブルデバイスは、スマートブレスレット、スマートメガネまたはスマートウォッチなどを含むことができ、本発明の実施の形態はスマートブレスレットを例として説明する。
【００２６】
ステップＳ１３０において、前記スマートウェアラブルデバイスが採集した運動軌跡を受信する。
スマートウェアラブルデバイスは自身の運動軌跡を採集した後、スマートモバイル端末に前記運動軌跡を送信する。
ステップＳ１４０において、前記運動軌跡がプリセット運動軌跡であるか否かを判断する。プリセット運動軌跡である場合、ステップＳ１５０を実行し、プリセット運動軌跡でない場合、ステップＳ１６０を実行する。
【００２７】
このステップにおいて、スマートモバイル端末は前記運動軌跡がプリセット運動軌跡であるか否かを判断し、該プリセット運動軌跡はスマートウェアラブルデバイスにより設定することができる。ここで、設定過程は以下のようなステップを含むことができる。
ステップ１）  プリセット運動軌跡を設定する操作者の操作を受信し、前記操作に基づいて動作設定命令を生成する。
ステップ２）  前記スマートウェアラブルデバイスが自身の現在の運動軌跡を採集するために、前記スマートウェアラブルデバイスに前記動作設定命令を送信する。
ステップ３）  前記スマートウェアラブルデバイスが採集した現在の運動軌跡を受信し、且つ前記の現在の運動軌跡を前記のプリセット運動軌跡に設定する。
【００２８】
例えば、ユーザはスマートフォンのプリセット運動軌跡を設定する機能を作動させ、対応する動作設定命令が生成し、前記動作設定命令をスマートブレスレットに送信して、スマートブレスレットは前記動作設定命令に基づいて自身の現在の運動軌跡を採取し、且つ前記の現在の運動軌跡をスマートフォンに送信し、スマートフォンより前記の現在の運動軌跡を記憶して、前記の現在の運動軌跡を前記のプリセット運動軌跡に設定する。プリセット運動軌跡を設定する過程はパスワードを設定するプロセスと同様に、ユーザは前記の現在の運動軌跡を再び完成して、二回の運動軌跡が同じである場合、前記運動軌跡をプリセット運動軌跡に設定することができる。
【００２９】
ステップＳ１５０において、前記スマートモバイル端末を作動させて撮影を行う。
本発明の一つの例示的な実施の形態において、スマートウェアラブルデバイスが送信した運動軌跡がプリセット運動軌跡であることをスマートモバイル端末が検出した場合、スマートモバイル端末のカメラアプリケーションを作動させて撮影を行う。
本発明の他の一つの例示的な実施の形態において、第１のプリセット時間内に受信した、前記スマートウェアラブルデバイスの少なくとも二つの運動軌跡がプリセット運動軌跡である場合、前記スマートモバイル端末のカメラアプリケーションを作動させて連写を行う。前記第１のプリセット時間は実際的応用に応じて自由に設定することができ、例え１ｍｉｎに設定することができる。このような状況は、ユーザが複数回の運動軌跡を通じてカメラの連写モードを起動させるように設定でき、また、前記のプリセット運動軌跡の回数を設定することができ、例えば、前記のプリセット回数を少なくとも２回に設定できる。具体的に、ユーザは、１ｍｉｎ内に検出したプリセット運動軌跡が２回になる場合、カメラアプリケーションの連写モードを起動するように設定することができる。
【００３０】
本発明の他の一つの例示的な実施の形態において、前記運動軌跡は第１のプリセット運動軌跡及び第２のプリセット運動軌跡を含むことができ、第１のプリセット運動軌跡はスマートモバイル端末を作動させてシングル撮影を行うためのものであり、第２のプリセット運動軌跡はスマートモバイル端末を作動させて連写を行うためのものである。
ステップＳ１６０において、前記スマートウェアラブルデバイスが送信した次回の運動軌跡を受信したか否かをモニタリングし、次回の運動軌跡を受信したとモニタリングした場合、前記運動軌跡がプリセット運動軌跡であると判断するまでステップＳ１４０に戻って該ステップを実行し、次回の運動軌跡を受信したとモニタリングしなかった場合は、今回のプロセスを終了させる。
【００３１】
本実施の形態が提供する撮影制御方法は、スマートモバイル端末により自身が撮影状態にあることを検出した場合、スマートウェアラブルデバイスを作動させてユーザの動作を検出する。スマートウェアラブルデバイスは採集した自身の運動軌跡をスマートモバイル端末に送信する。その後、スマートモバイル端末により前記運動軌跡がプリセット運動軌跡であることを検出した場合、カメラアプリケーションを作動させて撮影を行う。上述した内容から分かるように、該当撮影制御方法は、スマートウェアラブルデバイスによりユーザの動作を検出して、スマートモバイル端末を能動的に作動させて撮影を行うことにより、スマートモバイル端末がリモート撮影を行うことができ、撮影過程において、ユーザが手でスマートモバイル端末の撮影ボタンを作動させる必要がなく、操作が簡単で使いやすい。
【００３２】
図２は例示的な一実施の形態に係る他の一つの撮影制御方法を示すフローチャートである。該方法はスマートモバイル端末に応用される。図２に示すように、前記方法は図１に示す実施の形態に基づいてステップＳ２１０をさらに含むことができる。
ステップＳ２１０において、前記運動軌跡がプリセット運動軌跡である場合、前記スマートウェアラブルデバイスに第１命令を送信する。前記第１命令は、前記スマートウェアラブルデバイスが操作者に現在の撮影作動が成功したことを通知するためのものである。即ち、前記運動軌跡がプリセット運動軌跡である場合、スマートウェアラブルデバイスを通じてユーザに通知情報を送信し、該情報を通知させる方式としては振動またはベルなどがある。
【００３３】
例えば、スマートブレスレットはスマートフォンの第１命令を受信した後、振動を発生させ、ユーザはスマートブレスレットの振動を検出したとき、プリセット運動軌跡を使用することによりスマートフォンを作動させて撮影を行うことに成功したのを知ることができる。
説明すべきことは、本発明ではステップＳ２１０及びステップＳ１５０の実行順序を厳しく制限せず、先にステップＳ２１０を実行した後にステップＳ１５０を実行し、または、先にステップＳ１５０を実行した後にステップＳ２１０を実行し、または、ステップＳ２１０及びステップＳ１５０を同時に実行することができる。
【００３４】
本実施の形態が提供する撮影制御方法は、スマートウェアラブルデバイスが送信した運動軌跡がプリセット運動軌跡であることをスマートモバイル端末が判断した後、スマートウェアラブルデバイスを通じてユーザへ撮影を作動させることに成功したという通知情報を送信する。これにより、ユーザは該通知情報を受信した後、先ほどの動作がすでにスマートモバイル端末によって識別されて撮影を作動させたことを知ることができる。これにより、以下の問題を解決することができる。即ち、ユーザが撮影を作動させることに成功したか否かを知らずに、プリセット動作をずっと実行し続け、ひいてはスマートウェアラブルデバイスは自身の運動軌跡を検出し続け、且つスマートモバイル端末はスマートウェアラブルデバイスが送信した運動軌跡を処理し続けるようになり、スマートウェアラブルデバイスとスマートモバイル端末のリソース浪費の現象が発生する。
【００３５】
図３は例示的な一実施の形態に係る他の一つの撮影制御方法を示すフローチャートである。該方法はスマートモバイル端末に応用される。図３に示すように、前記方法は図１に示す実施の形態に基づいて以下のステップをさらに含むことができる。
ステップＳ３１０において、前記スマートウェアラブルデバイスが撮影状態から非撮影状態に切り替わったことを検出した場合、前記スマートウェアラブルデバイスに検出停止命令を送信する。前記検出停止命令は、前記スマートウェアラブルデバイスが前記運動軌跡を送信することを停止させるためのものである。
【００３６】
前記スマートモバイル端末が撮影状態から非撮影状態に切り替わったか否かを検出し、非撮影状態に切り替わった場合、前記スマートウェアラブルデバイスに検出停止命令を送信する。前記検出停止命令は、前記スマートウェアラブルデバイスが自身の運動軌跡を検出し送信することを停止させるためのものである。非撮影状態に切り替わっていない場合は、第３のプリセット時間間隔の後に前記スマートモバイル端末が撮影状態から非撮影状態に切り替わったか否かを検出し続ける。
前記第３のプリセット時間は実際的な需要に応じて設定することができ、例えば４０ｓに設定することができる。スマートブレスレットはスマートフォンが送信した検出停止命令を受信した後、ユーザの動作を検出しない。
説明すべきことは、図２に示す実施の形態を基づいてステップＳ３１０をさらに追加して新たな実施の形態を構成することもできる。
【００３７】
本実施の形態が提供する撮影制御方法は、自身のカメラアプリケーションが撮影状態から非撮影状態に切り替わったことをスマートモバイル端末が検出した場合、スマートウェアラブルデバイスが自身の運動軌跡を採集し送信することを停止させるために、スマートウェアラブルデバイスに検出停止命令を送信することで、スマートウェアラブルデバイスが操作者の動作をずっと検出して、スマートウェアラブルデバイスのリソースを大量に占有してしまう現象が発生することを避ける。
上記のスマートモバイル端末に基づいた撮影制御方法に対応して、本発明は更にスマートウェアラブルデバイスに応用される、スマートモバイル端末に基づいた撮影制御方法の実施の形態を提供する。
【００３８】
図４は例示的な一実施の形態に係る一つの撮影制御方法を示すフローチャートである。該方法はスマートウェアラブルデバイスに応用される。前記スマートウェアラブルデバイスはスマートブレスレット、スマートメガネまたはスマートウォッチなどを含むことができ、本発明の実施の形態はスマートブレスレットを例として説明する。図４に示すように、前記方法は以下のようなステップを含むことができる。
ステップＳ４１０において、スマートモバイル端末が送信した動作採集命令を受信する。前記動作採集命令は、スマートモバイル端末により自身が撮影状態にあることを検出した際に生成したものである。
前記スマートモバイル端末はスマートフォン、タブレットＰＣなどを含むことができ、本発明の実施の形態はスマートフォンを例として説明する。
【００３９】
ステップＳ４２０において、前記動作採集命令に基づいて自身の運動軌跡を採集し、且つ前記運動軌跡がプリセット運動軌跡であることを前記スマートモバイル端末が判断した際に前記スマートモバイル端末を作動させて撮影を行うように、採集した前記運動軌跡を前記スマートモバイル端末に送信する。
スマートブレスレットはスマートフォンが送信した動作採集命令を受信した後、スマートブレスレット装着者の動作を採集し始め、且つ採集した運動軌跡をスマートフォンに送信して、スマートフォンにより前記運動軌跡がプリセット運動軌跡であるか否かを判断し、プリセット運動軌跡である場合、スマートフォンのカメラアプリケーションを作動させて撮影を行う。
【００４０】
本発明の実施の形態において、スマートウェアラブルデバイスを通じて、スマートモバイル端末を作動させて撮影を行うプリセット運動軌跡を設定するステップは以下のステップを含むことができる。
ステップ１１）  スマートモバイル端末が送信した動作設定命令を受信する。前記動作設定命令は、前記スマートモバイル端末により操作者の動作設定操作を検出した際に生成したものである。
ステップ１２）  前記動作設定命令に基づいて自身の現在の運動軌跡を採集し、前記スマートモバイル端末が前記の現在の移動軌跡をプリセット運動軌跡に設定するために、前記の現在の運動軌跡を前記スマートモバイル端末に送信する。前記のプリセット運動軌跡は、前記スマートモバイル端末を作動させて撮影を行うためのものである。
【００４１】
本実施の形態が提供する撮影制御方法は、スマートウェアラブルデバイスを通じて、スマートモバイル端末を作動させて撮影を行う。具体的には、スマートモバイル端末は自身が撮影状態にあることを検出した場合、スマートウェアラブルデバイスを作動させてユーザの動作を検出する。スマートウェアラブルデバイスは検出したユーザの運動軌跡をスマートモバイル端末に送信する。その後、前記運動軌跡がプリセット運動軌跡であることをスマートモバイル端末が検出した場合、カメラアプリケーションを作動させて撮影を行う。上述した内容から分かるように、該当撮影制御方法はスマートウェアラブルデバイスによりユーザの動作を検出して、スマートモバイル端末を能動的に作動させて撮影を行うことにより、スマートモバイル端末がリモート撮影を行うことができ、撮影過程において、ユーザが手でスマートモバイル端末の撮影ボタンを作動させる必要がなく、操作が簡単で使いやすい。
【００４２】
図５は例示的な一実施の形態に係る他の一つの撮影制御方法を示すフローチャートである。該方法はスマートウェアラブルデバイスに応用される。図５に示すように、前記方法は図４に示す実施の形態に基づいて以下のステップをさらに含むことができる。
ステップＳ５１０において、前記スマートモバイル端末が送信した検出停止命令を受信する。ここで、前記検出停止命令は、自身のカメラアプリケーションが撮影状態から非撮影状態に切り替わったことを前記スマートモバイル端末が検出した際に生成したものである。
スマートフォンは自身が撮影状態から非撮影状態に切り替わったことを検出した場合、スマートブレスレットに検出停止命令を送信する。
【００４３】
ステップＳ５２０において、前記検出停止命令に基づいて自身の運動軌跡をリアルタイムに送信することを停止する。
スマートブレスレットは前記検出停止命令を受信した後、スマートブレスレット装着者の動作を検出することを停止し、また、自身の運動軌跡をリアルタイムに送信することを停止する。
本発明の他の一つの実施の形態において、スマートブレスレットは動作採集命令を受信した後、計時を開始し、計時して第２のプリセット時間内にスマートモバイル端末が送信した検出停止命令を受信しなかった場合、前記スマートウェアラブルデバイスの運動軌跡を検出することを自動的に停止する。
【００４４】
本実施の形態が提供する撮影制御方法は、現在の状況が検出を停止する条件を満たす場合、スマートウェアラブルデバイスの装着者の動作を検出することを停止し、これによりスマートウェアラブルデバイスのプロセッサリソースと電気エネルギーを節約する。ここで、検出を停止する条件を満たすことは、スマートモバイル端末が送信した検出停止命令を受信すること、または、動作採集命令を受信した後の第２のプリセット時間内に検出停止命令を受信しなかったことを含む。
【００４５】
図６は例示的な一実施の形態に係る他の一つの撮影制御方法を示すフローチャートである。該方法はスマートウェアラブルデバイスに応用される。図６に示すように、該方法は、図４に示す実施の形態に基づいて以下のようなステップをさらに含むことができる。
ステップＳ６１０において、前記スマートモバイル端末が送信した第１命令を受信する。前記第１命令は、前記スマートウェアラブルデバイスが採集した運動軌跡がプリセット運動軌跡であることを、前記スマートモバイル端末が検出した際に生成したものである。
ステップＳ６２０において、前記第１命令に基づいて前記操作者に現在の撮影作動が成功したことを通知する。 
【００４６】
例えば、スマートブレスレットはスマートフォンの第１命令を受信した後、振動を発生させ、ユーザはスマートブレスレットの振動を検出したとき、プリセット運動軌跡を使用することによりスマートフォンを作動させて撮影を行うことに成功したのを知ることができる。
本実施の形態が提供する撮影制御方法は、スマートモバイル端末が送信した第１命令を受信した場合、撮影を作動させることに成功したことをユーザに通知し、これにより、ユーザがずっとプリセット動作を実行して、スマートウェアラブルデバイスがユーザの動作をずっと検出し、受信した運動軌跡がプリセット運動軌跡であるか否かをスマートモバイル端末がずっと判断する現象が発生することを避ける。更に、スマートウェアラブルデバイスのプロセッサリソースと電気エネルギーを節約する。
【００４７】
図７は例示的な一実施の形態に係る一つの撮影制御方法を示すフローチャートである。該方法は、スマートモバイル端末及びスマートウェアラブルデバイスを含むシステムに応用される。図７に示すように、前記方法は以下のようなステップを含むことができる。
ステップＳ７１０において、スマートモバイル端末はプリセット運動軌跡を設定する操作者の操作を受信し、また、前記操作に基づいて動作設定命令を生成する。
ステップＳ７２０において、スマートモバイル端末はスマートウェアラブルデバイスに前記動作設定命令を送信する。
ステップＳ７３０において、スマートウェアラブルデバイスは前記動作設定命令に基づいて自身の現在の運動軌跡を採集する。
【００４８】
ステップＳ７４０において、スマートウェアラブルデバイスは前記スマートモバイル端末に前記の現在の運動軌跡を送信する。
ステップＳ７５０において、スマートモバイル端末は前記の現在の運動軌跡をプリセット運動軌跡に設定する。
ステップＳ７６０において、スマートモバイル端末は自身のカメラアプリケーションが撮影状態にあるか否かを検出する。前記カメラアプリケーションが撮影状態にある場合、ステップＳ７７０を実行する。前記カメラアプリケーションが非撮影状態にある場合、今回のプロセスを終了させる。
ステップＳ７７０において、前記カメラアプリケーションが撮影状態にあるとき、スマートモバイル端末はスマートウェアラブルデバイスに動作採集命令を送信する。
【００４９】
ステップＳ７８０において、スマートウェアラブルデバイスは前記動作採集命令に基づいて自身の運動軌跡を採集し、且つ採集した運動軌跡をスマートモバイル端末に送信する。
ステップＳ７９０において、スマートモバイル端末は、受信した前記運動軌跡が前記のプリセット運動軌跡か否かを判断する。前記運動軌跡がプリセット運動軌跡である場合、ステップＳ７１００を実行し、前記運動軌跡がプリセット運動軌跡でない場合、ステップＳ７１１０を実行する。
ステップＳ７１００において、前記運動軌跡がプリセット運動軌跡である場合、スマートモバイル端末は、前記カメラアプリケーションを作動させて撮影を行う。その後、ステップＳ７１２０を実行する。
ステップＳ７１１０において、スマートモバイル端末は、前記スマートウェアラブルデバイスが採集した次回の運動軌跡を受信したか否かをモニタリングし、次回の運動軌跡を受信したとモニタリングした場合は、ステップＳ７９０に戻って該ステップを実行し、次回の運動軌跡を受信したとモニタリングしなかった場合は、今回のプロセスを終了させる。
【００５０】
ステップＳ７１２０において、スマートモバイル端末は前記スマートウェアラブルデバイスに第１命令を送信する。
ステップＳ７１３０において、スマートウェアラブルデバイスは前記第１命令に基づいて前記操作者に現在の撮影作動が成功したことを通知する。
ステップＳ７１４０において、前記カメラアプリケーションが撮影状態から非撮影状態に切り替わったことをスマートモバイル端末が検出した場合、前記スマートウェアラブルデバイスに検出停止命令を送信する。
ステップＳ７１５０において、スマートウェアラブルデバイスは前記検出停止命令に基づいて自身の運動軌跡をリアルタイムに送信することを停止する。
【００５１】
図８は例示的な一実施の形態に係る一つの撮影制御装置を示すブロック図である。該装置はスマートモバイル端末に応用される。図８に示すように、該装置は、第１検出モジュール８１０、第１送信モジュール８２０、第１受信モジュール８３０、第１判断モジュール８４０及び作動モジュール８５０を備える。
該第１検出モジュール８１０は、スマートモバイル端末が撮影状態にあるか否かを検出するように構成される。
該第１送信モジュール８２０は、前記スマートモバイル端末が撮影状態にあることを前記検出モジュール８１０が検出した場合、スマートウェアラブルデバイスに動作採集命令を送信するように構成される。前記動作採集命令は、前記スマートウェアラブルデバイスが自身の運動軌跡を採集するためのものである。
【００５２】
該第１受信モジュール８３０は、前記スマートウェアラブルデバイスが採集した運動軌跡を受信するように構成される。
該第１判断モジュール８４０は、前記第１受信モジュール８３０が受信した前記運動軌跡がプリセット運動軌跡であるか否かを判断するように構成される。
該作動モジュール８５０は、前記運動軌跡がプリセット運動軌跡であることを前記第１判断モジュール８４０が判断した場合、前記スマートモバイル端末を作動させて撮影を行うように構成される。
【００５３】
本発明の一つの例示的な実施の形態において、前記運動軌跡がプリセット運動軌跡であることを第１判断モジュール８４０が判断した場合、前記スマートモバイル端末を作動させて撮影を行う。
本発明の他の一つの例示的な実施の形態において、前記作動モジュール８５０は第１作動サブモジュール及び第２作動サブモジュールを有する。
該第１作動サブモジュールは、第１のプリセット時間内に受信した、スマートウェアラブルデバイスの一つの運動軌跡が前記のプリセット運動軌跡である場合、前記スマートモバイル端末を作動させてシングル撮影を行うように構成される。
該第２作動サブモジュールは、第１のプリセット時間内に受信した少なくとも二つの運動軌跡が前記のプリセット運動軌跡である場合、前記スマートモバイル端末を作動させて連写を行うように構成される。
【００５４】
本発明の他の一つの例示的な実施の形態において、前記のプリセット運動軌跡は第１のプリセット運動軌跡及び第２のプリセット運動軌跡を含む。前記作動モジュール８５０は、第三作動サブモジュール及び第４作動サブモジュールを有する。
該第三作動サブモジュールは、前記運動軌跡が前記第１のプリセット運動軌跡である場合、前記スマートモバイル端末を作動させてシングル撮影を行うように構成される。
該第４作動サブモジュールは、前記運動軌跡が前記第２のプリセット運動軌跡である場合、前記スマートモバイル端末を作動させて連写を行うように構成される。
【００５５】
本実施の形態が提供する撮影制御装置は、自身のカメラアプリケーションが撮影状態にあることをスマートモバイル端末が検出した場合、スマートウェアラブルデバイスを作動させて自身の運動軌跡を採集する。スマートウェアラブルデバイスは採集した運動軌跡をスマートモバイル端末に送信する。その後、前記運動軌跡がプリセット運動軌跡であることをスマートモバイル端末が判断した場合、カメラアプリケーションを作動させて撮影を行う。上述した内容から分かるように、このような撮影制御装置はスマートウェアラブルデバイスによりユーザの動作を検出して、スマートモバイル端末を能動的に作動させて撮影を行うことにより、スマートモバイル端末がリモート撮影を行うことができ、撮影過程において、ユーザが手でスマートモバイル端末の撮影ボタンを作動させる必要がなく、操作が簡単で使いやすい。
【００５６】
図９は例示的な一実施の形態に係る他の一つの撮影制御装置を示すブロック図である。該装置はスマートモバイル端末に応用される。図９に示すように、前記装置は、図８に示す実施の形態に基づいて第２判断モジュール９１０をさらに備える。
該第２判断モジュール９１０は、前記運動軌跡がプリセット運動軌跡でないことを前記第１判断モジュール８４０が判断した場合、スマートウェアラブルデバイスが送信した次回の運動軌跡を受信したか否かを判断し、前記スマートウェアラブルデバイスが送信した前記の次回の運動軌跡を受信した場合、前記第１判断モジュールにより前記の次回の運動軌跡がプリセット運動軌跡であるか否かを判断させるように構成される。
【００５７】
図１０は例示的な一実施の形態に係る他の一つの撮影制御装置を示すブロック図である。該装置はスマートモバイル端末に応用される。図１０に示すように、前記装置は図８に示す実施の形態に基づいて第２送信モジュール１０１０をさらに備える。
該第２送信モジュール１０１０は、前記運動軌跡がプリセット運動軌跡であることを前記第１判断モジュール８４０が判断した場合、前記スマートウェアラブルデバイスに第１命令を送信するように構成される。前記第１命令は、前記スマートウェアラブルデバイスが操作者に現在の撮影作動が成功したことを通知するためのものである。
説明すべきことは、図９に示す実施の形態に基づいて前記第２送信モジュールをさらに追加して新たな実施の形態を構成することもできる。
【００５８】
図１１は例示的な一実施の形態に係る他の一つの撮影制御装置を示すブロック図である。該装置はスマートモバイル端末に応用される。前記装置は、図８に示す実施の形態に基づいて第２検出モジュール１１１０及び第３送信モジュール１１２０をさらに備える。
該第２検出モジュール１１１０は、前記スマートモバイル端末が撮影状態から非撮影状態に切り替わったか否かを検出するように構成される。
該第３送信モジュール１１２０は、前記スマートモバイル端末が撮影状態から非撮影状態に切り替わったことを前記検出モジュール１１１０が検出した場合、前記スマートウェアラブルデバイスに検出停止命令を送信するように構成される。前記検出停止命令は、前記スマートウェアラブルデバイスが前記運動軌跡をリアルタイムに送信することを停止させるためのものである。
【００５９】
説明すべきことは、図９または図１０に示す実施の形態に基づいて前記第２検出モジュール１１１０及び第３送信モジュール１１２０をさらに追加して新たな実施の形態を構成することができる。ここでは詳しい説明を省略する。
本実施の形態が提供する撮影制御装置は、スマートモバイル端末が自身のカメラアプリケーションが撮影状態から非撮影状態に切り替わったことを検出した場合、スマートウェアラブルデバイスが操作者の動作を検出することを停止させるために、スマートウェアラブルデバイスに検出停止命令を送信することで、スマートウェアラブルデバイスが操作者の動作をずっと検出して、スマートウェアラブルデバイスのリソースを大量に占有してしまう現象が発生することを避ける。
【００６０】
図１２は例示的な一実施の形態に係る他の一つの撮影制御装置を示すブロック図である。該装置はスマートモバイル端末に応用される。前記装置は、図８に示す実施の形態に基づいて設定命令生成モジュール１２１０、第４送信モジュール１２２０及び第２受信モジュール１２３０をさらに備える。
該設定命令生成モジュール１２１０は、プリセット運動軌跡を設定する操作者の操作を受信し、且つ前記操作に基づいて動作設定命令を生成するように構成される。
該第４送信モジュール１２２０は、前記スマートウェアラブルデバイスが自身の運動軌跡を検出するために、前記スマートウェアラブルデバイスに前記設定命令生成モジュール１２１０により生成した前記動作設定命令を送信するように構成される。
【００６１】
該第２受信モジュール１２３０は、前記スマートウェアラブルデバイスが送信した前記の現在の運動軌跡を受信し、且つ前記の現在の運動軌跡を前記のプリセット運動軌跡に設定するように構成される。
説明すべきことは、図９、図１０または図１１に示す実施の形態に基づいて前記設定命令生成モジュール１２１０、第４送信モジュール１２２０及び第２受信モジュール１２３０を追加して新たな実施の形態を構成することができる。ここでは詳しい説明を省略する。
本発明はスマートウェアラブルデバイスに応用される、撮影制御装置の実施の形態をさらに提供する。
【００６２】
図１３は例示的な一実施の形態に係る一つの撮影制御装置を示すブロック図である。該装置はスマートウェアラブルデバイスに応用される。図１３に示すように、前記装置は、第１受信モジュール１３１０、第１採集モジュール１３２０及び第１送信モジュール１３３０を備える。
該第１受信モジュール１３１０は、スマートモバイル端末が送信した動作採集命令を受信するように構成される。前記動作採集命令は、前記スマートモバイル端末により自身が撮影状態にあることを検出した際に生成したものである。
【００６３】
該第１採集モジュール１３２０は、前記第１受信モジュール１３１０が受信した動作採集命令に基づいて自身の運動軌跡を採集するように構成される。
該第１送信モジュール１３３０は、前記運動軌跡がプリセット運動軌跡であることを前記スマートモバイル端末が判断した際に前記スマートモバイル端末を作動させて撮影を行うように、前記第１採集モジュール１３２０が採集した自身の運動軌跡を前記スマートモバイル端末に送信するように構成される。
【００６４】
本実施の形態が提供する撮影制御装置は、スマートウェアラブルデバイスを通じて、スマートモバイル端末を作動させて撮影を行う。具体的には、スマートモバイル端末は自身が撮影状態にあることを検出した場合、スマートウェアラブルデバイスを作動させてユーザの動作を検出する。スマートウェアラブルデバイスは採集した自身の運動軌跡をスマートモバイル端末に送信する。その後、前記運動軌跡がプリセット運動軌跡であることをスマートモバイル端末が検出した場合、カメラアプリケーションを作動させて撮影を行う。上述した内容から分かるように、当該撮影制御装置はスマートウェアラブルデバイスによりユーザの動作を検出して、スマートモバイル端末を能動的に作動させて撮影を行うことにより、スマートモバイル端末がリモート撮影を行うことができ、撮影過程において、ユーザが手でスマートモバイル端末の撮影ボタンを作動させる必要がなく、操作が簡単で使いやすい。
【００６５】
図１４は例示的な一実施の形態に係る他の一つの撮影制御装置を示すブロック図ある。該装置はスマートウェアラブルデバイスに応用される。図１４に示すように、前記装置は、図１３に示す実施の形態に基づいて第２受信モジュール１４１０及び第１終了モジュール１４２０をさらに備える。
該第２受信モジュール１４１０は、前記スマートモバイル端末が送信した検出停止命令を受信するように構成される。
該第１終了モジュール１４２０は、前記第２受信モジュール１４１０が受信した前記検出停止命令に基づいて自身の運動軌跡をリアルタイムに送信することを停止するように構成される。ここで、前記検出停止命令は、前記スマートモバイル端末により撮影状態から非撮影状態に切り替わったことを検出した際に生成したものである。
【００６６】
本発明の他の一つの例示的な実施の形態において、前記撮影制御装置は図１３に示す実施の形態に基づいて第２終了モジュールをさらに備えることができる。
該第２終了モジュールは、前記動作採集命令を受信した後の第２のプリセット時間内に前記スマートモバイル端末が送信した検出停止命令が受信されていない場合、自身の運動軌跡をリアルタイムに送信することを停止するように構成される。
本実施の形態が提供する撮影制御装置は、現在の状況が検出を停止する条件を満たす場合、スマートウェアラブルデバイスの装着者の動作を検出することを停止し、これによりスマートウェアラブルデバイスのプロセッサリソースと電気エネルギーを節約する。
【００６７】
図１５は例示的な一実施の形態に係る他の一つの撮影制御装置を示すブロック図ある。該装置はスマートウェアラブルデバイスに応用される。前記装置は、図１３に示す実施の形態に基づいて第３受信モジュール１５１０及び通知モジュール１５２０をさらに備える。
該第３受信モジュール１５１０は、前記スマートモバイル端末が送信した第１命令を受信するように構成される。前記第１命令は、前記スマートモバイル端末により前記運動軌跡がプリセット運動軌跡であることを検出した際に生成したものである。
該通知モジュール１５２０は、前記第３受信モジュール１５１０が受信した前記第１命令に基づいて前記操作者に現在の撮影作動が成功したことを通知するように構成される。
本実施の形態が提供する撮影制御装置は、スマートモバイル端末が送信した第１命令を受信した場合、撮影を作動させることに成功したことをユーザに通知し、これにより、ユーザがずっとプリセット動作を実行して、スマートウェアラブルデバイスが自身の運行軌跡をずっと採集し、受信した運動軌跡がプリセット運動軌跡であるか否かをスマートモバイル端末がずっと判断する現象が発生することを避ける。更に、スマートウェアラブルデバイスのプロセッサリソースと電気エネルギーを節約する。
【００６８】
図１６は例示的な一実施の形態に係る他の一つの撮影制御装置を示すブロック図ある。該装置はスマートウェアラブルデバイスに応用される。前記装置は、図１３に示す実施の形態に基づいて第４受信モジュール１６１０及び検出モジュール１６２０をさらに備える。
該第４受信モジュール１６１０は、前記スマートモバイル端末が送信した動作設定命令を受信するように構成される。前記動作設定命令は、前記スマートモバイル端末により操作者の動作設定操作を検出した際に生成したものである。
該検出モジュール１６２０は、前記動作設定命令に基づいて自身の現在の運動軌跡を検出し、前記スマートモバイル端末が前記の現在の移動軌跡をプリセット運動軌跡に設定するために、前記の現在の運動軌跡を前記スマートモバイル端末に送信するように構成される。
【００６９】
図１７は例示的な一実施の形態に係る一つの撮影制御方法を実行するための装置８００を示すブロック図である。例えば、装置８００は、携帯電話、コンピュータ、デジタル放送端末、メッセージ送受信装置、ゲームコンソール、タブレット装置、医療装置、フィットネス設備、ＰＤＡ等である。
図１７に示すように、装置８００は、プロセスコンポーネント８０２、メモリ８０４、電源コンポーネント８０６、マルチメディアコンポーネント８０８、オーディオコンポーネント８１０、入力／出力（Ｉ／Ｏ）のインタフェース８１２、センサコンポーネント８１４、及び通信コンポーネント８１６の一つまたは複数のコンポーネントを含んでもよい。
【００７０】
プロセスコンポーネント８０２は、一般的には装置８００の全体の動作を制御するものであり、例えば、表示、電話の呼び出し、データ通信、カメラ動作及び記録動作と関連する動作を制御する。プロセスコンポーネント８０２は、一つ以上のプロセッサ８２０を含み、これらによって命令を実行することにより、上記の方法の全部、或は一部のステップを実現するようにしてもよい。なお、プロセスコンポーネント８０２は、一つ以上のモジュールを含んでプロセスコンポーネント８０２と他のコンポーネントの間のインタラクションを容易にしてもよい。例えば、プロセスコンポーネント８０２は、マルチメディアモジュールを含んでマルチメディアコンポーネント８０８とプロセスコンポーネント８０２の間のインタラクションを容易にしてもよい。
【００７１】
メモリ８０４は、各種類のデータを記憶することにより装置８００の動作を支援するように構成される。これらのデータの例は、方法の命令、連絡対象データ、電話帳データ、メッセージ、画像、ビデオなどの、装置８００の動作のためのいかなるアプリケーションプログラム又はアプローチを含む。メモリ８０４は、いずれかの種類の揮発性の又は不揮発性の記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【００７２】
電源コンポーネント８０６は装置８００の各コンポーネントに電力を供給する。電源コンポーネント８０６は、電源管理システム、一つまたは複数の電源、ならびに装置８００のための電力の生成、管理及び割り当てに関連する他のコンポーネントを含んでもよい。
マルチメディアコンポーネント８０８は、上記装置８００とユーザの間に一つの出力インタフェースを提供するためのスクリーンを含む。いくつかの実施の形態において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。いくつかの実施の形態において、マルチメディアコンポーネント８０８は、一つのフロントカメラ、及び／又はリアカメラを含む。装置８００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズシステムであるか、可変焦点距離と光学ズーム機能を有するものであってもよい。
【００７３】
オーディオコンポーネント８１０は、オーディオ信号を入出力するように構成される。例えば、オーディオコンポーネント８１０は、一つのマイク（ＭＩＣ）を含み、装置８００が、例えば呼出しモード、記録モード、及び音声認識モード等の動作モードにある場合、マイクは外部のオーディオ信号を受信することができる。受信されたオーディオ信号は、さらにメモリ８０４に記憶されたり、通信コンポーネント８１６を介して送信されたりする。いくつかの実施の形態において、オーディオコンポーネント８１０は、オーディオ信号を出力するための一つのスピーカーをさらに含む。
Ｉ／Ｏインタフェース８１２は、プロセスコンポーネント８０２と周辺インタフェースモジュールとの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【００７４】
センサコンポーネント８１４は、装置８００に各方面の状態に対する評価を提供するための一つ以上のセンサを含む。例えば、センサコンポーネント８１４は、装置８００のＯＮ／ＯＦＦ状態、装置８００のディスプレイとキーパッドのようなコンポーネントの相対的な位置決めを検出できる。また、センサコンポーネント８１４は、装置８００、或いは装置８００の一つのコンポーネントの位置変更、ユーザと装置８００とが接触しているか否か、装置８００の方位、又は加速／減速、装置８００の温度の変化を検出できる。センサコンポーネント８１４は、何れの物理的接触がない状態にて付近の物体の存在を検出するための近接センサを含んでもよい。センサコンポーネント８１４は、撮影アプリケーションに適用するため、ＣＭＯＳ、又はＣＣＤ画像センサのような光センサを含んでもよい。いくつかの実施の形態において、当該センサコンポーネント８１４は、加速度センサ、ジャイロスコープセンサ、磁気センサ、圧力センサ、及び温度センサをさらに含んでもよい。
【００７５】
通信コンポーネント８１６は、装置８００と他の機器の間に有線、又は無線形態の通信を提供する。装置８００は、例えばＷｉＦｉ、２Ｇ、３Ｇ、或はこれらの組み合わせのような、通信規格に基づいた無線ネットワークに接続されてもよい。一つの例示的な実施の形態において、通信コンポーネント８１６は、放送チャンネルを介して外部の放送管理システムからの放送信号、又は放送に関連する情報を受信する。一つの例示的な実施の形態において、上記通信コンポーネント８１６は、近距離無線通信（ＮＦＣ）モジュールをさらに含むことにより、近距離通信を促進する。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、及び他の技術に基づいて実現できる。
【００７６】
例示的な実施の形態において、装置８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記の方法を実行する。
例示的な実施の形態において、命令を含むコンピュータ読取り可能な非一時的な記録媒体、例えば命令を含むメモリ８０４をさらに提供し、装置８００のプロセッサ８２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【００７７】
コンピュータ読取り可能な非一時的な記録媒体は、前記記憶媒体の命令がスマートモバイル端末のプロセッサにより実行されると、スマートモバイル端末が撮影制御方法を実行できるようになり、前記方法は、
スマートモバイル端末が撮影状態にあるか否かを検出するステップと、
スマートモバイル端末が撮影状態にあることを検出した場合、スマートウェアラブルデバイスが自身の運動軌跡を採集するための動作採集命令をスマートウェアラブルデバイスに送信するステップと、
前記スマートウェアラブルデバイスが採集した運動軌跡を受信し、且つ前記運動軌跡がプリセット運動軌跡であるか否かを判断するステップと、
前記運動軌跡がプリセット運動軌跡である場合、前記スマートモバイル端末を作動させて撮影を行うステップと、を含む。
【００７８】
本発明は、スマートウェアラブルデバイスに応用されるコンピュータ読取り可能な非一時的な記録媒体をさらに提供し、前記記憶媒体の命令がスマートモバイル端末のプロセッサにより実行されると、スマートウェアラブルデバイスが撮影制御方法を実行できるようになり、前記方法は、
スマートモバイル端末が送信した、前記スマートモバイル端末により自身が撮影状態にあることを検出した際に生成した動作採集命令を受信するステップと、
前記動作採集命令に基づいて自身の運動軌跡を採集し、且つ前記運動軌跡がプリセット運動軌跡であることを前記スマートモバイル端末が判断した際に前記スマートモバイル端末を作動させて撮影を行うように、採集した運動軌跡を前記スマートモバイル端末に送信するステップと、を含む。
【００７９】
当業者は、明細書に対する理解、及び明細書に記載された発明に対する実施を通じて、本発明の他の実施形態を容易に得ることができる。本発明は、本発明に対する任意の変形、利用、または適用を含み、このような変形、利用、または適用は、本発明の一般的な原理に従い、本発明では開示していない本技術分野の公知の知識、または通常の技術手段を含む。明細書と実施の形態は、ただ例示的なものであって、本発明の本当の範囲と主旨は、以下の特許請求の範囲によって示される。
本発明は、上記し、図面で示した特定の構成に限定されず、その範囲を離脱しない状況で、様々な修正と変更を実現できる。本発明の範囲は、添付される特許請求の範囲のみにより限定される。
【００８０】
本願は、出願番号が２０１４１０５７１９０４．Ｘであり、出願日が２０１４年１０月２３日である中国特許出願に基づき優先権を主張し、当該中国特許出願の全ての内容を本願に援用する。
【図１】
2017503444.tif 000003
【図２】
2017503444.tif 000004
【図３】
2017503444.tif 000005
【図４】
2017503444.tif 000006
【図５】
2017503444.tif 000007
【図６】
2017503444.tif 000008
【図７】
2017503444.tif 000009
【図８】
2017503444.tif 000010
【図９】
2017503444.tif 000011
【図１０】
2017503444.tif 000012
【図１１】
2017503444.tif 000013
【図１２】
2017503444.tif 000014
【図１３】
2017503444.tif 000015
【図１４】
2017503444.tif 000016
【図１５】
2017503444.tif 000017
【図１６】
2017503444.tif 000018
【図１７】
2017503444.tif 000019
【手続補正書】
【提出日】平成27年5月22日(2015.5.22)
【手続補正１】
【補正対象書類名】明細書
【補正対象項目名】全文
【補正方法】変更
【補正の内容】
【発明の詳細な説明】
【技術分野】
【０００１】
本発明は、スマートモバイル端末の技術分野に関し、特に撮影制御方法、装置、プログラム及び記録媒体に関する。
【背景技術】
【０００２】
スマートモバイル端末の撮影技術の急速な発展に伴い、益々多くの人がスマートモバイル端末を使用して撮影する。
【発明の開示】
【発明が解決しようとする課題】
【０００３】
スマートモバイル端末を使用して自撮りをする際、片手でスマートモバイル端末を持ち、もう一方の手で撮影ボタンを押す必要があるため、操作が繁雑である。また、例えば、ユーザがタブレットＰＣ等のスクリーンが大きい、比較的重いスマートモバイル端末を使用して撮影する場合、両手でスマートモバイル端末を持つ必要があるため、撮影ボタンを押すことができず、撮影が極めて不便である。
【課題を解決するための手段】
【０００４】
関連技術に存在する問題を解決するために、本発明は撮影制御方法、装置、プログラム及び記録媒体を提供する。その技術案は以下の通りである。
本発明の実施の形態の第１の態様によれば、スマートモバイル端末に応用される撮影制御方法であって、
スマートモバイル端末が撮影状態にあるか否かを検出するステップと、
スマートモバイル端末が撮影状態にあることを検出した場合、スマートウェアラブルデバイスが自身の運動軌跡を採集する（収集する）ための動作採集命令を前記スマートウェアラブルデバイスに送信するステップと、
前記スマートウェアラブルデバイスが採集した運動軌跡を受信し、且つ前記運動軌跡がプリセット運動軌跡（所定の運動軌跡）であるか否かを判断するステップと、
前記運動軌跡がプリセット運動軌跡である場合、前記スマートモバイル端末を作動させて撮影を行うステップと、を含む撮影制御方法を提供する。
【０００５】
第１の態様に関して、第１の態様の第１の実現可能な形態において、前記方法は、
前記運動軌跡がプリセット運動軌跡ではない場合、前記スマートウェアラブルデバイスが送信した次回の（次の）運動軌跡を受信したか否かをモニタリングするステップと、
前記スマートウェアラブルデバイスが送信した前記次回の運動軌跡を受信した場合、前記運動軌跡がプリセット運動軌跡であるか否かを判断するステップに戻って該ステップを実行するステップと、をさらに含む。
【０００６】
第１の態様に関して、第１の態様の第２の実現可能な形態において、前記方法は、
前記運動軌跡がプリセット運動軌跡である場合、前記スマートウェアラブルデバイスが操作者に現在の撮影作動（撮影の発動）が成功したことを通知するための第１命令を前記スマートウェアラブルデバイスに送信するステップをさらに含む。
第１の態様に関して、第１の態様の第３の実現可能な形態において、前記方法は、
前記スマートモバイル端末が撮影状態から非撮影状態に切り替わったことを検出した場合、前記スマートウェアラブルデバイスが前記運動軌跡をリアルタイムに送信することを停止させるための検出停止命令を前記スマートウェアラブルデバイスに送信するステップをさらに含む。
【０００７】
第１の態様に関して、第１の態様の第４の実現可能な形態において、前記運動軌跡がプリセット運動軌跡である場合、前記スマートモバイル端末を作動させて撮影を行うステップは、
第１のプリセット時間（所定の時間）内に受信したスマートウェアラブルデバイスの一つの運動軌跡が前記のプリセット運動軌跡である場合、前記スマートモバイル端末を作動させてシングル撮影を行い、第１のプリセット時間内に受信した前記スマートウェアラブルデバイスの少なくとも二つの運動軌跡がプリセット運動軌跡である場合、前記スマートモバイル端末を作動させて連写を行うステップ、
または、
前記のプリセット運動軌跡は第１のプリセット運動軌跡及び第２のプリセット運動軌跡を含み、前記運動軌跡が前記第１のプリセット運動軌跡である場合、前記スマートモバイル端末を作動させてシングル撮影を行い、前記運動軌跡が前記第２のプリセット運動軌跡である場合、前記スマートモバイル端末を作動させて連写を行うステップを含む。
第１の態様に関して、第１の態様の第５の実現可能な形態において、前記方法は、
操作者によるプリセット運動軌跡を設定する操作を受信し、前記操作に基づいて動作設定命令を生成するステップと、
前記スマートウェアラブルデバイスが自身の現在の運動軌跡を採集するように、前記スマートウェアラブルデバイスに前記動作設定命令を送信するステップと、
前記スマートウェアラブルデバイスが採集した前記の現在の運動軌跡を受信し、且つ前記の現在の運動軌跡を、前記スマートモバイル端末を作動させて撮影を行うための前記のプリセット運動軌跡に設定するステップと、をさらに含む。
【０００８】
本発明の実施の形態の第２の態様によれば、スマートウェアラブルデバイスに応用される撮影制御方法であって、
スマートモバイル端末が送信した、前記スマートモバイル端末により自身が撮影状態にあることを検出した際に生成した動作採集命令を受信するステップと、
前記動作採集命令に基づいて自身の運動軌跡を採集し、且つ前記運動軌跡がプリセット運動軌跡であることを前記スマートモバイル端末が判断した際に前記スマートモバイル端末を作動させて撮影を行うように、採集した前記運動軌跡を前記スマートモバイル端末に送信するステップと、を含む撮影制御方法を提供する。
【０００９】
第２の態様に関して、第２の態様の第１の実現可能な形態において、前記方法は、
前記スマートモバイル端末が送信した、前記スマートモバイル端末により自身が撮影状態から非撮影状態に切り替わったことを検出したした際に生成した検出停止命令を受信し、且つ前記検出停止命令に基づいて自身の運動軌跡をリアルタイムに送信することを停止するステップ、
または、
前記動作採集命令を受信した後の第２のプリセット時間内に前記スマートモバイル端末が送信した前記検出停止命令が受信されていない場合、自身の運動軌跡をリアルタイムに送信することを停止するステップをさらに含む。
【００１０】
第２の態様に関して、第２の態様の第２の実現可能な形態において、前記方法は、
前記スマートモバイル端末が送信した、前記スマートモバイル端末により前記運動軌跡がプリセット運動軌跡であることを検出した際に生成した第１命令を受信し、且つ前記第１命令に基づいて前記操作者に現在の撮影作動が成功したことを通知するステップをさらに含む。
第２の態様に関して、第２の態様の第３の実現可能な形態において、前記方法は、
前記スマートモバイル端末が送信した、前記スマートモバイル端末により操作者の動作設定操作を検出した際に生成した動作設定命令を受信するステップと、
前記動作設定命令に基づいて自身の現在の運動軌跡を検出し、且つ前記スマートモバイル端末が前記の現在の移動軌跡をプリセット運動軌跡に設定するように、前記の現在の運動軌跡を前記スマートモバイル端末に送信するステップと、をさらに含む。
【００１１】
本発明の実施の形態の第３の態様によれば、撮影制御装置であって、
スマートモバイル端末が撮影状態にあるか否かを検出する、第１検出モジュールと、
前記スマートモバイル端末が撮影状態にある場合、スマートウェアラブルデバイスが自身の運動軌跡を採集するための動作採集命令を前記スマートウェアラブルデバイスに送信する、第１送信モジュールと、
前記スマートウェアラブルデバイスが採集した運動軌跡を受信する、第１受信モジュールと、
前記運動軌跡がプリセット運動軌跡であるか否かを判断する、第１判断モジュールと、
前記運動軌跡がプリセット運動軌跡である場合、前記スマートモバイル端末を作動させて撮影を行う、作動モジュールと、を備える撮影制御装置を提供する。
【００１２】
第３の態様に関して、第３の態様の第１の実現可能な形態において、前記装置は、
前記運動軌跡がプリセット運動軌跡ではない場合、前記スマートウェアラブルデバイスが送信した次回の運動軌跡を受信したか否かをモニタリングし、前記スマートウェアラブルデバイスが送信した前記の次回の運動軌跡を受信した場合、前記第１判断モジュールにより前記の次回の運動軌跡がプリセット運動軌跡であるか否かを判断させる、第２判断モジュールをさらに備える。
第３の態様に関して、第３の態様の第２の実現可能な形態において、前記装置は、
前記運動軌跡がプリセット運動軌跡である場合、前記スマートウェアラブルデバイスが操作者に現在の撮影作動が成功したことを通知するための第１命令を前記スマートウェアラブルデバイスに送信する、第２送信モジュールをさらに備える。
【００１３】
第３の態様に関して、第３の態様の第３の実現可能な形態において、前記装置は、
前記スマートモバイル端末が撮影状態から非撮影状態に切り替わったか否かを検出する、第２検出モジュールと、
前記スマートモバイル端末が撮影状態から非撮影状態に切り替わったことを検出した場合、前記スマートウェアラブルデバイスが前記運動軌跡をリアルタイムに送信することを停止させるための検出停止命令を前記スマートウェアラブルデバイスに送信する、第３送信モジュールと、をさらに備える。
【００１４】
第３の態様に関して、第３の態様の第４の実現可能な形態において、前記作動モジュールは、第１作動サブモジュール及び第２作動サブモジュールを有し、
前記第１作動サブモジュールは、第１のプリセット時間内に受信したスマートウェアラブルデバイスの一つの運動軌跡が前記のプリセット運動軌跡である場合、前記スマートモバイル端末を作動させてシングル撮影を行うことに用いられ、
前記第２作動サブモジュールは、第１のプリセット時間内に受信した前記スマートウェアラブルデバイスの少なくとも二つの運動軌跡がプリセット運動軌跡である場合、前記スマートモバイル端末を作動させて連写を行うことに用いられ、
または、
前記のプリセット運動軌跡が第１のプリセット運動軌跡及び第２のプリセット運動軌跡を含む場合、前記作動モジュールは、第三作動サブモジュール及び第４作動サブモジュールを有し、
前記第三作動サブモジュールは、前記運動軌跡が前記第１のプリセット運動軌跡である場合、前記スマートモバイル端末を作動させてシングル撮影を行うことに用いられ、
前記第４作動サブモジュールは、前記運動軌跡が第２のプリセット運動軌跡である場合、前記スマートモバイル端末を作動させて連写を行うことに用いられる。
【００１５】
第３の態様に関して、第３の態様の第５の実現可能な形態において、前記装置は、
プリセット運動軌跡を設定する操作者の操作を受信し、前記操作に基づいて動作設定命令を生成する、設定命令生成モジュールと、
前記スマートウェアラブルデバイスが自身の現在の運動軌跡を検出するように、前記スマートウェアラブルデバイスに前記動作設定命令を送信する、第４送信モジュールと、
前記スマートウェアラブルデバイスが送信した前記の現在の運動軌跡を受信し、且つ前記の現在の運動軌跡を前記のプリセット運動軌跡に設定する、第２受信モジュールと、をさらに備える。
【００１６】
本発明の実施の形態の第４の態様によれば、スマートウェアラブルデバイスに応用される撮影制御装置であって、
スマートモバイル端末が送信した、前記スマートモバイル端末により自身が撮影状態にあることを検出した際に生成した動作採集命令を受信する、第１受信モジュールと、
前記動作採集命令に基づいて自身の運動軌跡を採集する、第１採集モジュールと、
前記運動軌跡がプリセット運動軌跡であることを前記スマートモバイル端末が判断した際に前記スマートモバイル端末を作動させて撮影を行うように、前記運動軌跡を前記スマートモバイル端末に送信するための第１送信モジュールと、を備える撮影制御装置を提供する。
【００１７】
第４の態様に関して、第４の態様の第１の実現可能な形態において、前記装置は、
前記スマートモバイル端末が送信した検出停止命令を受信する、第２受信モジュールと、
前記スマートモバイル端末により自身が撮影状態から非撮影状態に切り替わったことを検出したした際に生成した前記検出停止命令に基づいて、自身の運動軌跡をリアルタイムに送信することを停止させる、第１終了モジュールと、
または、
前記動作採集命令を受信した後の第２のプリセット時間内に前記スマートモバイル端末が送信した前記検出停止命令が受信されていない場合、自身の運動軌跡をリアルタイムに送信することを停止させる、第２終了モジュールと、をさらに備える。
第４の態様に関して、第４の態様の第２の実現可能な形態において、前記装置は、
前記スマートモバイル端末が送信した、前記スマートモバイル端末により前記運動軌跡がプリセット運動軌跡であることを検出した際に生成した第１命令を受信する、第３受信モジュールと、
前記第１命令に基づいて前記操作者に現在の撮影作動が成功したことを通知する、通知モジュールと、をさらに備える。
【００１８】
第４の態様に関して、第４の態様の第３の実現可能な形態において、前記装置は、
スマートモバイル端末が送信した、前記スマートモバイル端末により操作者の動作設定操作を検出した際に生成した動作設定命令を受信する、第４受信モジュールと、
前記動作設定命令に基づいて自身の現在の運動軌跡を検出し、且つ前記スマートモバイル端末が前記の現在の移動軌跡をプリセット運動軌跡に設定するように、前記の現在の運動軌跡を前記スマートモバイル端末に送信する、第２検出モジュールと、をさらに備える。
【００１９】
本発明の実施の形態の第５の態様によれば、プロセッサと、プロセッサにより実行可能な命令を記憶するためのメモリとを備えるスマートモバイル端末であって、前記プロセッサは、
スマートモバイル端末が撮影状態にあるか否かを検出し、
スマートモバイル端末が撮影状態にあることを検出した場合、スマートウェアラブルデバイスが自身の運動軌跡を採集するための動作採集命令を前記スマートウェアラブルデバイスに送信し、
前記スマートウェアラブルデバイスが採集した運動軌跡を受信し、且つ前記運動軌跡がプリセット運動軌跡であるか否かを判断し、
前記運動軌跡がプリセット運動軌跡である場合、前記スマートモバイル端末を作動させて撮影を行うように構成される、スマートモバイル端末を提供する。
【００２０】
本発明の実施の形態の第６の態様によれば、プロセッサと、プロセッサにより実行可能な命令を記憶するためのメモリとを備えるスマートウェアラブルデバイスであって、前記プロセッサは、
スマートモバイル端末が送信した、スマートモバイル端末により自身が撮影状態にあることを検出した際に生成した動作採集命令を受信し、
前記動作採集命令に基づいて自身の運動軌跡を採集し、且つ前記運動軌跡がプリセット運動軌跡であることを前記スマートモバイル端末が判断した際に前記スマートモバイル端末を作動させて撮影を行うように、採集した前記運動軌跡を前記スマートモバイル端末に送信するように構成される、スマートウェアラブルデバイスを提供する。
本発明の実施の形態の第７の態様によれば、プログラムを提供し、当該プログラムは、プロセッサに実行されることにより、上記撮影制御方法を実現する。
本発明の実施の形態の第８の態様によれば、記録媒体を提供し、当該記録媒体には、上記プログラムが記録されている。
【発明の効果】
【００２１】
本発明の実施の形態に係る技術案によれば、下記の有益な効果が期待される。前記撮影制御方法は、スマートウェアラブルデバイスを通じて、スマートモバイル端末を作動させて撮影を行う。スマートモバイル端末は自身が撮影状態にあることを検出した場合、スマートウェアラブルデバイスを作動させて自身の運動軌跡を採集する。スマートウェアラブルデバイスは採集した運動軌跡をスマートモバイル端末に送信する。その後、前記運動軌跡がプリセット運動軌跡であることをスマートモバイル端末が検出した場合、スマートモバイル端末を作動させて撮影を行う。上述した内容から分かるように、当該撮影制御方法は、スマートウェアラブルデバイスによりユーザの動作を検出して、スマートモバイル端末を自動的に作動させて撮影を行うことにより、スマートモバイル端末がリモート撮影を行うことができ、撮影過程において、ユーザは手でスマートモバイル端末の撮影ボタンを作動させる必要がなく、操作が簡単で使いやすい。
以上の一般的な記述と、以下の詳細の記述は、ただ例示的なものであって、本発明を限定するものではないことを理解すべきである。
【図面の簡単な説明】
【００２２】
ここの図面は、明細書に組み入れて本明細書の一部分を構成し、本発明に該当する実施の形態を例示するとともに、明細書とともに本発明の原理を解釈するために用いられる。
【図１】例示的な一実施の形態に係る一つの撮影制御方法を示すフローチャートである。
【図２】例示的な一実施の形態に係る他の一つの撮影制御方法を示すフローチャートである。
【図３】例示的な一実施の形態に係る他の一つの撮影制御方法を示すフローチャートである。
【図４】例示的な一実施の形態に係る一つの撮影制御方法を示すフローチャートである。
【図５】例示的な一実施の形態に係る他の一つの撮影制御方法を示すフローチャートである。
【図６】例示的な一実施の形態に係る他の一つの撮影制御方法を示すフローチャートである。
【図７】例示的な一実施の形態に係る一つの撮影制御方法を示すフローチャートである。
【図８】例示的な一実施の形態に係る一つの撮影制御装置を示すブロック図である。
【図９】例示的な一実施の形態に係る他の一つの撮影制御装置を示すブロック図である。
【図１０】例示的な一実施の形態に係る他の一つの撮影制御装置を示すブロック図である。
【図１１】例示的な一実施の形態に係る他の一つの撮影制御装置を示すブロック図である。
【図１２】例示的な一実施の形態に係る他の一つの撮影制御装置を示すブロック図である。
【図１３】例示的な一実施の形態に係る一つの撮影制御装置を示すブロック図である。
【図１４】例示的な一実施の形態に係る他の一つの撮影制御装置を示すブロック図である。
【図１５】例示的な一実施の形態に係る他の一つの撮影制御装置を示すブロック図である。
【図１６】例示的な一実施の形態に係る他の一つの撮影制御装置を示すブロック図である。
【図１７】例示的な一実施の形態に係る一つの撮影制御方法を実行するための装置を示すブロック図である。以上の図面を通じて、本発明の実施の形態を例示しているが、そのさらに具体的な内容については後述する。これらの図面は、本発明の趣旨の範囲を限定するためのものではなく、特定の実施の形態を参照として、当業者に本発明のコンセプトを理解させるためのものである。
【発明を実施するための形態】
【００２３】
ここで、図面に示される例示的な実施の形態について詳細に説明する。以下、図面に関連して説明する際に、特別な説明がない限り、異なる図面での同一符号は、同一または類似な要素を示す。以下の例示的な実施の形態で記載する実装は、本発明に一致する全ての実装を代表するわけではない。かえって、それらは、添付される特許請求の範囲で詳細に記載される本発明の一部の態様に一致する装置、及び方法の例に過ぎない。
図１は例示的な一実施の形態に係る一つの撮影制御方法を示すフローチャートである。該方法はスマートモバイル端末（移動インテリジェント端末）に応用される。前記スマートモバイル端末はスマートフォン、タブレットＰＣなどであってもよく、本発明の実施の形態はスマートフォンを例として説明する。図１に示すように、前記方法は以下のようなステップを含むことができる。
【００２４】
ステップＳ１１０において、スマートモバイル端末が撮影状態にあるか否かを検出する。撮影状態にある場合、ステップＳ１２０を実行し、非撮影状態にある場合、今回のプロセスを終了させる。
本発明の一つの実施の形態において、スマートモバイル端末はカメラアプリケーションが呼び出されたか否かを判断することができ、呼び出されたと判断される場合、スマートモバイル端末が撮影状態にあると確定し、呼び出されていないと判断される場合、スマートモバイル端末が非撮影状態にあると確定する。
本発明の他の一つの実施の形態において、スマートモバイル端末は更にカメラアプリケーションによりディスプレイが呼び出されたか否かを判断することができ、呼び出されたと判断される場合、スマートモバイル端末が撮影状態にあると確定し、呼び出されていないと判断される場合、スマートモバイル端末が非撮影状態にあると確定する。
【００２５】
ステップＳ１２０において、スマートウェアラブルデバイス（インテリジェントウェアブルデバイス）に動作採集命令を送信する。前記動作採集命令は、前記スマートウェアラブルデバイスが自身の運動軌跡を採集するためのものである。
スマートモバイル端末が撮影状態にあることを検出した後、スマートウェアラブルデバイスに動作採集命令を送信し、スマートウェアラブルデバイスは該動作採集命令を受信した後、スマートウェアラブルデバイスの運動軌跡を検出し始める。該運動軌跡は、操作者がスマートウェアラブルデバイスを装着した部位の動作を反映する。
前記スマートウェアラブルデバイスは、スマートブレスレット、スマートメガネまたはスマートウォッチなどを含むことができ、本発明の実施の形態はスマートブレスレットを例として説明する。
【００２６】
ステップＳ１３０において、前記スマートウェアラブルデバイスが採集した運動軌跡を受信する。
スマートウェアラブルデバイスは自身の運動軌跡を採集した後、スマートモバイル端末に前記運動軌跡を送信する。
ステップＳ１４０において、前記運動軌跡がプリセット運動軌跡であるか否かを判断する。プリセット運動軌跡である場合、ステップＳ１５０を実行し、プリセット運動軌跡でない場合、ステップＳ１６０を実行する。
【００２７】
このステップにおいて、スマートモバイル端末は前記運動軌跡がプリセット運動軌跡であるか否かを判断し、該プリセット運動軌跡はスマートウェアラブルデバイスにより設定することができる。ここで、設定過程は以下のようなステップを含むことができる。
ステップ１）  プリセット運動軌跡を設定する操作者の操作を受信し、前記操作に基づいて動作設定命令を生成する。
ステップ２）  前記スマートウェアラブルデバイスが自身の現在の運動軌跡を採集するために、前記スマートウェアラブルデバイスに前記動作設定命令を送信する。
ステップ３）  前記スマートウェアラブルデバイスが採集した現在の運動軌跡を受信し、且つ前記の現在の運動軌跡を前記のプリセット運動軌跡に設定する。
【００２８】
例えば、ユーザはスマートフォンのプリセット運動軌跡を設定する機能を作動させ、対応する動作設定命令が生成し、前記動作設定命令をスマートブレスレットに送信して、スマートブレスレットは前記動作設定命令に基づいて自身の現在の運動軌跡を採取し、且つ前記の現在の運動軌跡をスマートフォンに送信し、スマートフォンより前記の現在の運動軌跡を記憶して、前記の現在の運動軌跡を前記のプリセット運動軌跡に設定する。プリセット運動軌跡を設定する過程はパスワードを設定するプロセスと同様に、ユーザは前記の現在の運動軌跡を再び完成して、二回の運動軌跡が同じである場合、前記運動軌跡をプリセット運動軌跡に設定することができる。
【００２９】
ステップＳ１５０において、前記スマートモバイル端末を作動させて撮影を行う。
本発明の一つの例示的な実施の形態において、スマートウェアラブルデバイスが送信した運動軌跡がプリセット運動軌跡であることをスマートモバイル端末が検出した場合、スマートモバイル端末のカメラアプリケーションを作動させて撮影を行う。
本発明の他の一つの例示的な実施の形態において、第１のプリセット時間内に受信した、前記スマートウェアラブルデバイスの少なくとも二つの運動軌跡がプリセット運動軌跡である場合、前記スマートモバイル端末のカメラアプリケーションを作動させて連写を行う。前記第１のプリセット時間は実際的応用に応じて自由に設定することができ、例え１ｍｉｎに設定することができる。このような状況は、ユーザが複数回の運動軌跡を通じてカメラの連写モードを起動させるように設定でき、また、前記のプリセット運動軌跡の回数を設定することができ、例えば、前記のプリセット回数を少なくとも２回に設定できる。具体的に、ユーザは、１ｍｉｎ内に検出したプリセット運動軌跡が２回になる場合、カメラアプリケーションの連写モードを起動するように設定することができる。
【００３０】
本発明の他の一つの例示的な実施の形態において、前記運動軌跡は第１のプリセット運動軌跡及び第２のプリセット運動軌跡を含むことができ、第１のプリセット運動軌跡はスマートモバイル端末を作動させてシングル撮影を行うためのものであり、第２のプリセット運動軌跡はスマートモバイル端末を作動させて連写を行うためのものである。
ステップＳ１６０において、前記スマートウェアラブルデバイスが送信した次回の運動軌跡を受信したか否かをモニタリングし、次回の運動軌跡を受信したとモニタリングした場合、前記運動軌跡がプリセット運動軌跡であると判断するまでステップＳ１４０に戻って該ステップを実行し、次回の運動軌跡を受信したとモニタリングしなかった場合は、今回のプロセスを終了させる。
【００３１】
本実施の形態が提供する撮影制御方法は、スマートモバイル端末により自身が撮影状態にあることを検出した場合、スマートウェアラブルデバイスを作動させてユーザの動作を検出する。スマートウェアラブルデバイスは採集した自身の運動軌跡をスマートモバイル端末に送信する。その後、スマートモバイル端末により前記運動軌跡がプリセット運動軌跡であることを検出した場合、カメラアプリケーションを作動させて撮影を行う。上述した内容から分かるように、該当撮影制御方法は、スマートウェアラブルデバイスによりユーザの動作を検出して、スマートモバイル端末を能動的に作動させて撮影を行うことにより、スマートモバイル端末がリモート撮影を行うことができ、撮影過程において、ユーザが手でスマートモバイル端末の撮影ボタンを作動させる必要がなく、操作が簡単で使いやすい。
【００３２】
図２は例示的な一実施の形態に係る他の一つの撮影制御方法を示すフローチャートである。該方法はスマートモバイル端末に応用される。図２に示すように、前記方法は図１に示す実施の形態に基づいてステップＳ２１０をさらに含むことができる。
ステップＳ２１０において、前記運動軌跡がプリセット運動軌跡である場合、前記スマートウェアラブルデバイスに第１命令を送信する。前記第１命令は、前記スマートウェアラブルデバイスが操作者に現在の撮影作動が成功したことを通知するためのものである。即ち、前記運動軌跡がプリセット運動軌跡である場合、スマートウェアラブルデバイスを通じてユーザに通知情報を送信し、該情報を通知させる方式としては振動またはベルなどがある。
【００３３】
例えば、スマートブレスレットはスマートフォンの第１命令を受信した後、振動を発生させ、ユーザはスマートブレスレットの振動を検出したとき、プリセット運動軌跡を使用することによりスマートフォンを作動させて撮影を行うことに成功したのを知ることができる。
説明すべきことは、本発明ではステップＳ２１０及びステップＳ１５０の実行順序を厳しく制限せず、先にステップＳ２１０を実行した後にステップＳ１５０を実行し、または、先にステップＳ１５０を実行した後にステップＳ２１０を実行し、または、ステップＳ２１０及びステップＳ１５０を同時に実行することができる。
【００３４】
本実施の形態が提供する撮影制御方法は、スマートウェアラブルデバイスが送信した運動軌跡がプリセット運動軌跡であることをスマートモバイル端末が判断した後、スマートウェアラブルデバイスを通じてユーザへ撮影を作動させることに成功したという通知情報を送信する。これにより、ユーザは該通知情報を受信した後、先ほどの動作がすでにスマートモバイル端末によって識別されて撮影を作動させたことを知ることができる。これにより、以下の問題を解決することができる。即ち、ユーザが撮影を作動させることに成功したか否かを知らずに、プリセット動作をずっと実行し続け、ひいてはスマートウェアラブルデバイスは自身の運動軌跡を検出し続け、且つスマートモバイル端末はスマートウェアラブルデバイスが送信した運動軌跡を処理し続けるようになり、スマートウェアラブルデバイスとスマートモバイル端末のリソース浪費の現象が発生する。
【００３５】
図３は例示的な一実施の形態に係る他の一つの撮影制御方法を示すフローチャートである。該方法はスマートモバイル端末に応用される。図３に示すように、前記方法は図１に示す実施の形態に基づいて以下のステップをさらに含むことができる。
ステップＳ３１０において、前記スマートウェアラブルデバイスが撮影状態から非撮影状態に切り替わったことを検出した場合、前記スマートウェアラブルデバイスに検出停止命令を送信する。前記検出停止命令は、前記スマートウェアラブルデバイスが前記運動軌跡を送信することを停止させるためのものである。
【００３６】
前記スマートモバイル端末が撮影状態から非撮影状態に切り替わったか否かを検出し、非撮影状態に切り替わった場合、前記スマートウェアラブルデバイスに検出停止命令を送信する。前記検出停止命令は、前記スマートウェアラブルデバイスが自身の運動軌跡を検出し送信することを停止させるためのものである。非撮影状態に切り替わっていない場合は、第３のプリセット時間間隔の後に前記スマートモバイル端末が撮影状態から非撮影状態に切り替わったか否かを検出し続ける。
前記第３のプリセット時間は実際的な需要に応じて設定することができ、例えば４０ｓに設定することができる。スマートブレスレットはスマートフォンが送信した検出停止命令を受信した後、ユーザの動作を検出しない。
説明すべきことは、図２に示す実施の形態を基づいてステップＳ３１０をさらに追加して新たな実施の形態を構成することもできる。
【００３７】
本実施の形態が提供する撮影制御方法は、自身のカメラアプリケーションが撮影状態から非撮影状態に切り替わったことをスマートモバイル端末が検出した場合、スマートウェアラブルデバイスが自身の運動軌跡を採集し送信することを停止させるために、スマートウェアラブルデバイスに検出停止命令を送信することで、スマートウェアラブルデバイスが操作者の動作をずっと検出して、スマートウェアラブルデバイスのリソースを大量に占有してしまう現象が発生することを避ける。
上記のスマートモバイル端末に基づいた撮影制御方法に対応して、本発明は更にスマートウェアラブルデバイスに応用される、スマートモバイル端末に基づいた撮影制御方法の実施の形態を提供する。
【００３８】
図４は例示的な一実施の形態に係る一つの撮影制御方法を示すフローチャートである。該方法はスマートウェアラブルデバイスに応用される。前記スマートウェアラブルデバイスはスマートブレスレット、スマートメガネまたはスマートウォッチなどを含むことができ、本発明の実施の形態はスマートブレスレットを例として説明する。図４に示すように、前記方法は以下のようなステップを含むことができる。
ステップＳ４１０において、スマートモバイル端末が送信した動作採集命令を受信する。前記動作採集命令は、スマートモバイル端末により自身が撮影状態にあることを検出した際に生成したものである。
前記スマートモバイル端末はスマートフォン、タブレットＰＣなどを含むことができ、本発明の実施の形態はスマートフォンを例として説明する。
【００３９】
ステップＳ４２０において、前記動作採集命令に基づいて自身の運動軌跡を採集し、且つ前記運動軌跡がプリセット運動軌跡であることを前記スマートモバイル端末が判断した際に前記スマートモバイル端末を作動させて撮影を行うように、採集した前記運動軌跡を前記スマートモバイル端末に送信する。
スマートブレスレットはスマートフォンが送信した動作採集命令を受信した後、スマートブレスレット装着者の動作を採集し始め、且つ採集した運動軌跡をスマートフォンに送信して、スマートフォンにより前記運動軌跡がプリセット運動軌跡であるか否かを判断し、プリセット運動軌跡である場合、スマートフォンのカメラアプリケーションを作動させて撮影を行う。
【００４０】
本発明の実施の形態において、スマートウェアラブルデバイスを通じて、スマートモバイル端末を作動させて撮影を行うプリセット運動軌跡を設定するステップは以下のステップを含むことができる。
ステップ１１）  スマートモバイル端末が送信した動作設定命令を受信する。前記動作設定命令は、前記スマートモバイル端末により操作者の動作設定操作を検出した際に生成したものである。
ステップ１２）  前記動作設定命令に基づいて自身の現在の運動軌跡を採集し、前記スマートモバイル端末が前記の現在の移動軌跡をプリセット運動軌跡に設定するために、前記の現在の運動軌跡を前記スマートモバイル端末に送信する。前記のプリセット運動軌跡は、前記スマートモバイル端末を作動させて撮影を行うためのものである。
【００４１】
本実施の形態が提供する撮影制御方法は、スマートウェアラブルデバイスを通じて、スマートモバイル端末を作動させて撮影を行う。具体的には、スマートモバイル端末は自身が撮影状態にあることを検出した場合、スマートウェアラブルデバイスを作動させてユーザの動作を検出する。スマートウェアラブルデバイスは検出したユーザの運動軌跡をスマートモバイル端末に送信する。その後、前記運動軌跡がプリセット運動軌跡であることをスマートモバイル端末が検出した場合、カメラアプリケーションを作動させて撮影を行う。上述した内容から分かるように、該当撮影制御方法はスマートウェアラブルデバイスによりユーザの動作を検出して、スマートモバイル端末を能動的に作動させて撮影を行うことにより、スマートモバイル端末がリモート撮影を行うことができ、撮影過程において、ユーザが手でスマートモバイル端末の撮影ボタンを作動させる必要がなく、操作が簡単で使いやすい。
【００４２】
図５は例示的な一実施の形態に係る他の一つの撮影制御方法を示すフローチャートである。該方法はスマートウェアラブルデバイスに応用される。図５に示すように、前記方法は図４に示す実施の形態に基づいて以下のステップをさらに含むことができる。
ステップＳ５１０において、前記スマートモバイル端末が送信した検出停止命令を受信する。ここで、前記検出停止命令は、自身のカメラアプリケーションが撮影状態から非撮影状態に切り替わったことを前記スマートモバイル端末が検出した際に生成したものである。
スマートフォンは自身が撮影状態から非撮影状態に切り替わったことを検出した場合、スマートブレスレットに検出停止命令を送信する。
【００４３】
ステップＳ５２０において、前記検出停止命令に基づいて自身の運動軌跡をリアルタイムに送信することを停止する。
スマートブレスレットは前記検出停止命令を受信した後、スマートブレスレット装着者の動作を検出することを停止し、また、自身の運動軌跡をリアルタイムに送信することを停止する。
本発明の他の一つの実施の形態において、スマートブレスレットは動作採集命令を受信した後、計時を開始し、計時して第２のプリセット時間内にスマートモバイル端末が送信した検出停止命令を受信しなかった場合、前記スマートウェアラブルデバイスの運動軌跡を検出することを自動的に停止する。
【００４４】
本実施の形態が提供する撮影制御方法は、現在の状況が検出を停止する条件を満たす場合、スマートウェアラブルデバイスの装着者の動作を検出することを停止し、これによりスマートウェアラブルデバイスのプロセッサリソースと電気エネルギーを節約する。ここで、検出を停止する条件を満たすことは、スマートモバイル端末が送信した検出停止命令を受信すること、または、動作採集命令を受信した後の第２のプリセット時間内に検出停止命令を受信しなかったことを含む。
【００４５】
図６は例示的な一実施の形態に係る他の一つの撮影制御方法を示すフローチャートである。該方法はスマートウェアラブルデバイスに応用される。図６に示すように、該方法は、図４に示す実施の形態に基づいて以下のようなステップをさらに含むことができる。
ステップＳ６１０において、前記スマートモバイル端末が送信した第１命令を受信する。前記第１命令は、前記スマートウェアラブルデバイスが採集した運動軌跡がプリセット運動軌跡であることを、前記スマートモバイル端末が検出した際に生成したものである。
ステップＳ６２０において、前記第１命令に基づいて前記操作者に現在の撮影作動が成功したことを通知する。 
【００４６】
例えば、スマートブレスレットはスマートフォンの第１命令を受信した後、振動を発生させ、ユーザはスマートブレスレットの振動を検出したとき、プリセット運動軌跡を使用することによりスマートフォンを作動させて撮影を行うことに成功したのを知ることができる。
本実施の形態が提供する撮影制御方法は、スマートモバイル端末が送信した第１命令を受信した場合、撮影を作動させることに成功したことをユーザに通知し、これにより、ユーザがずっとプリセット動作を実行して、スマートウェアラブルデバイスがユーザの動作をずっと検出し、受信した運動軌跡がプリセット運動軌跡であるか否かをスマートモバイル端末がずっと判断する現象が発生することを避ける。更に、スマートウェアラブルデバイスのプロセッサリソースと電気エネルギーを節約する。
【００４７】
図７は例示的な一実施の形態に係る一つの撮影制御方法を示すフローチャートである。該方法は、スマートモバイル端末及びスマートウェアラブルデバイスを含むシステムに応用される。図７に示すように、前記方法は以下のようなステップを含むことができる。
ステップＳ７１０において、スマートモバイル端末はプリセット運動軌跡を設定する操作者の操作を受信し、また、前記操作に基づいて動作設定命令を生成する。
ステップＳ７２０において、スマートモバイル端末はスマートウェアラブルデバイスに前記動作設定命令を送信する。
ステップＳ７３０において、スマートウェアラブルデバイスは前記動作設定命令に基づいて自身の現在の運動軌跡を採集する。
【００４８】
ステップＳ７４０において、スマートウェアラブルデバイスは前記スマートモバイル端末に前記の現在の運動軌跡を送信する。
ステップＳ７５０において、スマートモバイル端末は前記の現在の運動軌跡をプリセット運動軌跡に設定する。
ステップＳ７６０において、スマートモバイル端末は自身のカメラアプリケーションが撮影状態にあるか否かを検出する。前記カメラアプリケーションが撮影状態にある場合、ステップＳ７７０を実行する。前記カメラアプリケーションが非撮影状態にある場合、今回のプロセスを終了させる。
ステップＳ７７０において、前記カメラアプリケーションが撮影状態にあるとき、スマートモバイル端末はスマートウェアラブルデバイスに動作採集命令を送信する。
【００４９】
ステップＳ７８０において、スマートウェアラブルデバイスは前記動作採集命令に基づいて自身の運動軌跡を採集し、且つ採集した運動軌跡をスマートモバイル端末に送信する。
ステップＳ７９０において、スマートモバイル端末は、受信した前記運動軌跡が前記のプリセット運動軌跡か否かを判断する。前記運動軌跡がプリセット運動軌跡である場合、ステップＳ７１００を実行し、前記運動軌跡がプリセット運動軌跡でない場合、ステップＳ７１１０を実行する。
ステップＳ７１００において、前記運動軌跡がプリセット運動軌跡である場合、スマートモバイル端末は、前記カメラアプリケーションを作動させて撮影を行う。その後、ステップＳ７１２０を実行する。
ステップＳ７１１０において、スマートモバイル端末は、前記スマートウェアラブルデバイスが採集した次回の運動軌跡を受信したか否かをモニタリングし、次回の運動軌跡を受信したとモニタリングした場合は、ステップＳ７９０に戻って該ステップを実行し、次回の運動軌跡を受信したとモニタリングしなかった場合は、今回のプロセスを終了させる。
【００５０】
ステップＳ７１２０において、スマートモバイル端末は前記スマートウェアラブルデバイスに第１命令を送信する。
ステップＳ７１３０において、スマートウェアラブルデバイスは前記第１命令に基づいて前記操作者に現在の撮影作動が成功したことを通知する。
ステップＳ７１４０において、前記カメラアプリケーションが撮影状態から非撮影状態に切り替わったことをスマートモバイル端末が検出した場合、前記スマートウェアラブルデバイスに検出停止命令を送信する。
ステップＳ７１５０において、スマートウェアラブルデバイスは前記検出停止命令に基づいて自身の運動軌跡をリアルタイムに送信することを停止する。
【００５１】
図８は例示的な一実施の形態に係る一つの撮影制御装置を示すブロック図である。該装置はスマートモバイル端末に応用される。図８に示すように、該装置は、第１検出モジュール８１０、第１送信モジュール８２０、第１受信モジュール８３０、第１判断モジュール８４０及び作動モジュール８５０を備える。
該第１検出モジュール８１０は、スマートモバイル端末が撮影状態にあるか否かを検出するように構成される。
該第１送信モジュール８２０は、前記スマートモバイル端末が撮影状態にあることを前記検出モジュール８１０が検出した場合、スマートウェアラブルデバイスに動作採集命令を送信するように構成される。前記動作採集命令は、前記スマートウェアラブルデバイスが自身の運動軌跡を採集するためのものである。
【００５２】
該第１受信モジュール８３０は、前記スマートウェアラブルデバイスが採集した運動軌跡を受信するように構成される。
該第１判断モジュール８４０は、前記第１受信モジュール８３０が受信した前記運動軌跡がプリセット運動軌跡であるか否かを判断するように構成される。
該作動モジュール８５０は、前記運動軌跡がプリセット運動軌跡であることを前記第１判断モジュール８４０が判断した場合、前記スマートモバイル端末を作動させて撮影を行うように構成される。
【００５３】
本発明の一つの例示的な実施の形態において、前記運動軌跡がプリセット運動軌跡であることを第１判断モジュール８４０が判断した場合、前記スマートモバイル端末を作動させて撮影を行う。
本発明の他の一つの例示的な実施の形態において、前記作動モジュール８５０は第１作動サブモジュール及び第２作動サブモジュールを有する。
該第１作動サブモジュールは、第１のプリセット時間内に受信した、スマートウェアラブルデバイスの一つの運動軌跡が前記のプリセット運動軌跡である場合、前記スマートモバイル端末を作動させてシングル撮影を行うように構成される。
該第２作動サブモジュールは、第１のプリセット時間内に受信した少なくとも二つの運動軌跡が前記のプリセット運動軌跡である場合、前記スマートモバイル端末を作動させて連写を行うように構成される。
【００５４】
本発明の他の一つの例示的な実施の形態において、前記のプリセット運動軌跡は第１のプリセット運動軌跡及び第２のプリセット運動軌跡を含む。前記作動モジュール８５０は、第三作動サブモジュール及び第４作動サブモジュールを有する。
該第三作動サブモジュールは、前記運動軌跡が前記第１のプリセット運動軌跡である場合、前記スマートモバイル端末を作動させてシングル撮影を行うように構成される。
該第４作動サブモジュールは、前記運動軌跡が前記第２のプリセット運動軌跡である場合、前記スマートモバイル端末を作動させて連写を行うように構成される。
【００５５】
本実施の形態が提供する撮影制御装置は、自身のカメラアプリケーションが撮影状態にあることをスマートモバイル端末が検出した場合、スマートウェアラブルデバイスを作動させて自身の運動軌跡を採集する。スマートウェアラブルデバイスは採集した運動軌跡をスマートモバイル端末に送信する。その後、前記運動軌跡がプリセット運動軌跡であることをスマートモバイル端末が判断した場合、カメラアプリケーションを作動させて撮影を行う。上述した内容から分かるように、このような撮影制御装置はスマートウェアラブルデバイスによりユーザの動作を検出して、スマートモバイル端末を能動的に作動させて撮影を行うことにより、スマートモバイル端末がリモート撮影を行うことができ、撮影過程において、ユーザが手でスマートモバイル端末の撮影ボタンを作動させる必要がなく、操作が簡単で使いやすい。
【００５６】
図９は例示的な一実施の形態に係る他の一つの撮影制御装置を示すブロック図である。該装置はスマートモバイル端末に応用される。図９に示すように、前記装置は、図８に示す実施の形態に基づいて第２判断モジュール９１０をさらに備える。
該第２判断モジュール９１０は、前記運動軌跡がプリセット運動軌跡でないことを前記第１判断モジュール８４０が判断した場合、スマートウェアラブルデバイスが送信した次回の運動軌跡を受信したか否かを判断し、前記スマートウェアラブルデバイスが送信した前記の次回の運動軌跡を受信した場合、前記第１判断モジュールにより前記の次回の運動軌跡がプリセット運動軌跡であるか否かを判断させるように構成される。
【００５７】
図１０は例示的な一実施の形態に係る他の一つの撮影制御装置を示すブロック図である。該装置はスマートモバイル端末に応用される。図１０に示すように、前記装置は図８に示す実施の形態に基づいて第２送信モジュール１０１０をさらに備える。
該第２送信モジュール１０１０は、前記運動軌跡がプリセット運動軌跡であることを前記第１判断モジュール８４０が判断した場合、前記スマートウェアラブルデバイスに第１命令を送信するように構成される。前記第１命令は、前記スマートウェアラブルデバイスが操作者に現在の撮影作動が成功したことを通知するためのものである。
説明すべきことは、図９に示す実施の形態に基づいて前記第２送信モジュールをさらに追加して新たな実施の形態を構成することもできる。
【００５８】
図１１は例示的な一実施の形態に係る他の一つの撮影制御装置を示すブロック図である。該装置はスマートモバイル端末に応用される。前記装置は、図８に示す実施の形態に基づいて第２検出モジュール１１１０及び第３送信モジュール１１２０をさらに備える。
該第２検出モジュール１１１０は、前記スマートモバイル端末が撮影状態から非撮影状態に切り替わったか否かを検出するように構成される。
該第３送信モジュール１１２０は、前記スマートモバイル端末が撮影状態から非撮影状態に切り替わったことを前記検出モジュール１１１０が検出した場合、前記スマートウェアラブルデバイスに検出停止命令を送信するように構成される。前記検出停止命令は、前記スマートウェアラブルデバイスが前記運動軌跡をリアルタイムに送信することを停止させるためのものである。
【００５９】
説明すべきことは、図９または図１０に示す実施の形態に基づいて前記第２検出モジュール１１１０及び第３送信モジュール１１２０をさらに追加して新たな実施の形態を構成することができる。ここでは詳しい説明を省略する。
本実施の形態が提供する撮影制御装置は、スマートモバイル端末が自身のカメラアプリケーションが撮影状態から非撮影状態に切り替わったことを検出した場合、スマートウェアラブルデバイスが操作者の動作を検出することを停止させるために、スマートウェアラブルデバイスに検出停止命令を送信することで、スマートウェアラブルデバイスが操作者の動作をずっと検出して、スマートウェアラブルデバイスのリソースを大量に占有してしまう現象が発生することを避ける。
【００６０】
図１２は例示的な一実施の形態に係る他の一つの撮影制御装置を示すブロック図である。該装置はスマートモバイル端末に応用される。前記装置は、図８に示す実施の形態に基づいて設定命令生成モジュール１２１０、第４送信モジュール１２２０及び第２受信モジュール１２３０をさらに備える。
該設定命令生成モジュール１２１０は、プリセット運動軌跡を設定する操作者の操作を受信し、且つ前記操作に基づいて動作設定命令を生成するように構成される。
該第４送信モジュール１２２０は、前記スマートウェアラブルデバイスが自身の運動軌跡を検出するために、前記スマートウェアラブルデバイスに前記設定命令生成モジュール１２１０により生成した前記動作設定命令を送信するように構成される。
【００６１】
該第２受信モジュール１２３０は、前記スマートウェアラブルデバイスが送信した前記の現在の運動軌跡を受信し、且つ前記の現在の運動軌跡を前記のプリセット運動軌跡に設定するように構成される。
説明すべきことは、図９、図１０または図１１に示す実施の形態に基づいて前記設定命令生成モジュール１２１０、第４送信モジュール１２２０及び第２受信モジュール１２３０を追加して新たな実施の形態を構成することができる。ここでは詳しい説明を省略する。
本発明はスマートウェアラブルデバイスに応用される、撮影制御装置の実施の形態をさらに提供する。
【００６２】
図１３は例示的な一実施の形態に係る一つの撮影制御装置を示すブロック図である。該装置はスマートウェアラブルデバイスに応用される。図１３に示すように、前記装置は、第１受信モジュール１３１０、第１採集モジュール１３２０及び第１送信モジュール１３３０を備える。
該第１受信モジュール１３１０は、スマートモバイル端末が送信した動作採集命令を受信するように構成される。前記動作採集命令は、前記スマートモバイル端末により自身が撮影状態にあることを検出した際に生成したものである。
【００６３】
該第１採集モジュール１３２０は、前記第１受信モジュール１３１０が受信した動作採集命令に基づいて自身の運動軌跡を採集するように構成される。
該第１送信モジュール１３３０は、前記運動軌跡がプリセット運動軌跡であることを前記スマートモバイル端末が判断した際に前記スマートモバイル端末を作動させて撮影を行うように、前記第１採集モジュール１３２０が採集した自身の運動軌跡を前記スマートモバイル端末に送信するように構成される。
【００６４】
本実施の形態が提供する撮影制御装置は、スマートウェアラブルデバイスを通じて、スマートモバイル端末を作動させて撮影を行う。具体的には、スマートモバイル端末は自身が撮影状態にあることを検出した場合、スマートウェアラブルデバイスを作動させてユーザの動作を検出する。スマートウェアラブルデバイスは採集した自身の運動軌跡をスマートモバイル端末に送信する。その後、前記運動軌跡がプリセット運動軌跡であることをスマートモバイル端末が検出した場合、カメラアプリケーションを作動させて撮影を行う。上述した内容から分かるように、当該撮影制御装置はスマートウェアラブルデバイスによりユーザの動作を検出して、スマートモバイル端末を能動的に作動させて撮影を行うことにより、スマートモバイル端末がリモート撮影を行うことができ、撮影過程において、ユーザが手でスマートモバイル端末の撮影ボタンを作動させる必要がなく、操作が簡単で使いやすい。
【００６５】
図１４は例示的な一実施の形態に係る他の一つの撮影制御装置を示すブロック図ある。該装置はスマートウェアラブルデバイスに応用される。図１４に示すように、前記装置は、図１３に示す実施の形態に基づいて第２受信モジュール１４１０及び第１終了モジュール１４２０をさらに備える。
該第２受信モジュール１４１０は、前記スマートモバイル端末が送信した検出停止命令を受信するように構成される。
該第１終了モジュール１４２０は、前記第２受信モジュール１４１０が受信した前記検出停止命令に基づいて自身の運動軌跡をリアルタイムに送信することを停止するように構成される。ここで、前記検出停止命令は、前記スマートモバイル端末により撮影状態から非撮影状態に切り替わったことを検出した際に生成したものである。
【００６６】
本発明の他の一つの例示的な実施の形態において、前記撮影制御装置は図１３に示す実施の形態に基づいて第２終了モジュールをさらに備えることができる。
該第２終了モジュールは、前記動作採集命令を受信した後の第２のプリセット時間内に前記スマートモバイル端末が送信した検出停止命令が受信されていない場合、自身の運動軌跡をリアルタイムに送信することを停止するように構成される。
本実施の形態が提供する撮影制御装置は、現在の状況が検出を停止する条件を満たす場合、スマートウェアラブルデバイスの装着者の動作を検出することを停止し、これによりスマートウェアラブルデバイスのプロセッサリソースと電気エネルギーを節約する。
【００６７】
図１５は例示的な一実施の形態に係る他の一つの撮影制御装置を示すブロック図ある。該装置はスマートウェアラブルデバイスに応用される。前記装置は、図１３に示す実施の形態に基づいて第３受信モジュール１５１０及び通知モジュール１５２０をさらに備える。
該第３受信モジュール１５１０は、前記スマートモバイル端末が送信した第１命令を受信するように構成される。前記第１命令は、前記スマートモバイル端末により前記運動軌跡がプリセット運動軌跡であることを検出した際に生成したものである。
該通知モジュール１５２０は、前記第３受信モジュール１５１０が受信した前記第１命令に基づいて前記操作者に現在の撮影作動が成功したことを通知するように構成される。
本実施の形態が提供する撮影制御装置は、スマートモバイル端末が送信した第１命令を受信した場合、撮影を作動させることに成功したことをユーザに通知し、これにより、ユーザがずっとプリセット動作を実行して、スマートウェアラブルデバイスが自身の運行軌跡をずっと採集し、受信した運動軌跡がプリセット運動軌跡であるか否かをスマートモバイル端末がずっと判断する現象が発生することを避ける。更に、スマートウェアラブルデバイスのプロセッサリソースと電気エネルギーを節約する。
【００６８】
図１６は例示的な一実施の形態に係る他の一つの撮影制御装置を示すブロック図ある。該装置はスマートウェアラブルデバイスに応用される。前記装置は、図１３に示す実施の形態に基づいて第４受信モジュール１６１０及び検出モジュール１６２０をさらに備える。
該第４受信モジュール１６１０は、前記スマートモバイル端末が送信した動作設定命令を受信するように構成される。前記動作設定命令は、前記スマートモバイル端末により操作者の動作設定操作を検出した際に生成したものである。
該検出モジュール１６２０は、前記動作設定命令に基づいて自身の現在の運動軌跡を検出し、前記スマートモバイル端末が前記の現在の移動軌跡をプリセット運動軌跡に設定するために、前記の現在の運動軌跡を前記スマートモバイル端末に送信するように構成される。
【００６９】
図１７は例示的な一実施の形態に係る一つの撮影制御方法を実行するための装置８００を示すブロック図である。例えば、装置８００は、携帯電話、コンピュータ、デジタル放送端末、メッセージ送受信装置、ゲームコンソール、タブレット装置、医療装置、フィットネス設備、ＰＤＡ等である。
図１７に示すように、装置８００は、プロセスコンポーネント８０２、メモリ８０４、電源コンポーネント８０６、マルチメディアコンポーネント８０８、オーディオコンポーネント８１０、入力／出力（Ｉ／Ｏ）のインタフェース８１２、センサコンポーネント８１４、及び通信コンポーネント８１６の一つまたは複数のコンポーネントを含んでもよい。
【００７０】
プロセスコンポーネント８０２は、一般的には装置８００の全体の動作を制御するものであり、例えば、表示、電話の呼び出し、データ通信、カメラ動作及び記録動作と関連する動作を制御する。プロセスコンポーネント８０２は、一つ以上のプロセッサ８２０を含み、これらによって命令を実行することにより、上記の方法の全部、或は一部のステップを実現するようにしてもよい。なお、プロセスコンポーネント８０２は、一つ以上のモジュールを含んでプロセスコンポーネント８０２と他のコンポーネントの間のインタラクションを容易にしてもよい。例えば、プロセスコンポーネント８０２は、マルチメディアモジュールを含んでマルチメディアコンポーネント８０８とプロセスコンポーネント８０２の間のインタラクションを容易にしてもよい。
【００７１】
メモリ８０４は、各種類のデータを記憶することにより装置８００の動作を支援するように構成される。これらのデータの例は、方法の命令、連絡対象データ、電話帳データ、メッセージ、画像、ビデオなどの、装置８００の動作のためのいかなるアプリケーションプログラム又はアプローチを含む。メモリ８０４は、いずれかの種類の揮発性の又は不揮発性の記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【００７２】
電源コンポーネント８０６は装置８００の各コンポーネントに電力を供給する。電源コンポーネント８０６は、電源管理システム、一つまたは複数の電源、ならびに装置８００のための電力の生成、管理及び割り当てに関連する他のコンポーネントを含んでもよい。
マルチメディアコンポーネント８０８は、上記装置８００とユーザの間に一つの出力インタフェースを提供するためのスクリーンを含む。いくつかの実施の形態において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。いくつかの実施の形態において、マルチメディアコンポーネント８０８は、一つのフロントカメラ、及び／又はリアカメラを含む。装置８００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズシステムであるか、可変焦点距離と光学ズーム機能を有するものであってもよい。
【００７３】
オーディオコンポーネント８１０は、オーディオ信号を入出力するように構成される。例えば、オーディオコンポーネント８１０は、一つのマイク（ＭＩＣ）を含み、装置８００が、例えば呼出しモード、記録モード、及び音声認識モード等の動作モードにある場合、マイクは外部のオーディオ信号を受信することができる。受信されたオーディオ信号は、さらにメモリ８０４に記憶されたり、通信コンポーネント８１６を介して送信されたりする。いくつかの実施の形態において、オーディオコンポーネント８１０は、オーディオ信号を出力するための一つのスピーカーをさらに含む。
Ｉ／Ｏインタフェース８１２は、プロセスコンポーネント８０２と周辺インタフェースモジュールとの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【００７４】
センサコンポーネント８１４は、装置８００に各方面の状態に対する評価を提供するための一つ以上のセンサを含む。例えば、センサコンポーネント８１４は、装置８００のＯＮ／ＯＦＦ状態、装置８００のディスプレイとキーパッドのようなコンポーネントの相対的な位置決めを検出できる。また、センサコンポーネント８１４は、装置８００、或いは装置８００の一つのコンポーネントの位置変更、ユーザと装置８００とが接触しているか否か、装置８００の方位、又は加速／減速、装置８００の温度の変化を検出できる。センサコンポーネント８１４は、何れの物理的接触がない状態にて付近の物体の存在を検出するための近接センサを含んでもよい。センサコンポーネント８１４は、撮影アプリケーションに適用するため、ＣＭＯＳ、又はＣＣＤ画像センサのような光センサを含んでもよい。いくつかの実施の形態において、当該センサコンポーネント８１４は、加速度センサ、ジャイロスコープセンサ、磁気センサ、圧力センサ、及び温度センサをさらに含んでもよい。
【００７５】
通信コンポーネント８１６は、装置８００と他の機器の間に有線、又は無線形態の通信を提供する。装置８００は、例えばＷｉＦｉ、２Ｇ、３Ｇ、或はこれらの組み合わせのような、通信規格に基づいた無線ネットワークに接続されてもよい。一つの例示的な実施の形態において、通信コンポーネント８１６は、放送チャンネルを介して外部の放送管理システムからの放送信号、又は放送に関連する情報を受信する。一つの例示的な実施の形態において、上記通信コンポーネント８１６は、近距離無線通信（ＮＦＣ）モジュールをさらに含むことにより、近距離通信を促進する。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、及び他の技術に基づいて実現できる。
【００７６】
例示的な実施の形態において、装置８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記の方法を実行する。
例示的な実施の形態において、命令を含むコンピュータ読取り可能な非一時的な記録媒体、例えば命令を含むメモリ８０４をさらに提供し、装置８００のプロセッサ８２０により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【００７７】
コンピュータ読取り可能な非一時的な記録媒体は、前記記憶媒体の命令がスマートモバイル端末のプロセッサにより実行されると、スマートモバイル端末が撮影制御方法を実行できるようになり、前記方法は、
スマートモバイル端末が撮影状態にあるか否かを検出するステップと、
スマートモバイル端末が撮影状態にあることを検出した場合、スマートウェアラブルデバイスが自身の運動軌跡を採集するための動作採集命令をスマートウェアラブルデバイスに送信するステップと、
前記スマートウェアラブルデバイスが採集した運動軌跡を受信し、且つ前記運動軌跡がプリセット運動軌跡であるか否かを判断するステップと、
前記運動軌跡がプリセット運動軌跡である場合、前記スマートモバイル端末を作動させて撮影を行うステップと、を含む。
【００７８】
本発明は、スマートウェアラブルデバイスに応用されるコンピュータ読取り可能な非一時的な記録媒体をさらに提供し、前記記憶媒体の命令がスマートモバイル端末のプロセッサにより実行されると、スマートウェアラブルデバイスが撮影制御方法を実行できるようになり、前記方法は、
スマートモバイル端末が送信した、前記スマートモバイル端末により自身が撮影状態にあることを検出した際に生成した動作採集命令を受信するステップと、
前記動作採集命令に基づいて自身の運動軌跡を採集し、且つ前記運動軌跡がプリセット運動軌跡であることを前記スマートモバイル端末が判断した際に前記スマートモバイル端末を作動させて撮影を行うように、採集した運動軌跡を前記スマートモバイル端末に送信するステップと、を含む。
【００７９】
当業者は、明細書に対する理解、及び明細書に記載された発明に対する実施を通じて、本発明の他の実施形態を容易に得ることができる。本発明は、本発明に対する任意の変形、利用、または適用を含み、このような変形、利用、または適用は、本発明の一般的な原理に従い、本発明では開示していない本技術分野の公知の知識、または通常の技術手段を含む。明細書と実施の形態は、ただ例示的なものであって、本発明の本当の範囲と主旨は、以下の特許請求の範囲によって示される。
本発明は、上記し、図面で示した特定の構成に限定されず、その範囲を離脱しない状況で、様々な修正と変更を実現できる。本発明の範囲は、添付される特許請求の範囲のみにより限定される。
【００８０】
本願は、出願番号が２０１４１０５７１９０４．Ｘであり、出願日が２０１４年１０月２３日である中国特許出願に基づき優先権を主張し、当該中国特許出願の全ての内容を本願に援用する。
【手続補正２】
【補正対象書類名】特許請求の範囲
【補正対象項目名】全文
【補正方法】変更
【補正の内容】
【特許請求の範囲】
【請求項１】
スマートモバイル端末に応用される撮影制御方法であって、
スマートモバイル端末が撮影状態にあるか否かを検出するステップと、
スマートモバイル端末が撮影状態にあることを検出した場合、スマートウェアラブルデバイスが自身の運動軌跡を採集するための動作採集命令を前記スマートウェアラブルデバイスに送信するステップと、
前記スマートウェアラブルデバイスが採集した運動軌跡を受信し、且つ前記運動軌跡が所定の運動軌跡であるか否かを判断するステップと、
前記運動軌跡が所定の運動軌跡である場合、前記スマートモバイル端末を作動させて撮影を行うステップと
を含むことを特徴とする撮影制御方法。
【請求項２】
前記運動軌跡が所定の運動軌跡ではない場合、前記スマートウェアラブルデバイスが送信した次の運動軌跡を受信したか否かをモニタリングするステップと、
前記スマートウェアラブルデバイスが送信した前記次の運動軌跡を受信した場合、前記運動軌跡が所定の運動軌跡であるか否かを判断するステップに戻って該ステップを実行するステップと
をさらに含むことを特徴とする請求項１に記載の方法。
【請求項３】
前記運動軌跡が所定の運動軌跡である場合、前記スマートウェアラブルデバイスが操作者に現在の撮影作動が成功したことを通知するための第１命令を前記スマートウェアラブルデバイスに送信するステップ
をさらに含むことを特徴とする請求項１に記載の方法。
【請求項４】
前記スマートモバイル端末が撮影状態から非撮影状態に切り替わったことを検出した場合、前記スマートウェアラブルデバイスが前記運動軌跡をリアルタイムに送信することを停止させるための検出停止命令を前記スマートウェアラブルデバイスに送信するステップ
をさらに含むことを特徴とする請求項１に記載の方法。
【請求項５】
前記運動軌跡が所定の運動軌跡である場合、前記スマートモバイル端末を作動させて撮影を行うステップは、
第１の所定の時間内に受信したスマートウェアラブルデバイスの一つの運動軌跡が前記所定の運動軌跡である場合、前記スマートモバイル端末を作動させてシングル撮影を行い、第１の所定の時間内に受信した前記スマートウェアラブルデバイスの少なくとも二つの運動軌跡が所定の運動軌跡である場合、前記スマートモバイル端末を作動させて連写を行うステップ、
または、
前記所定の運動軌跡は第１の所定の運動軌跡及び第２の所定の運動軌跡を含み、前記運動軌跡が前記第１の所定の運動軌跡である場合、前記スマートモバイル端末を作動させてシングル撮影を行い、前記運動軌跡が前記第２の所定の運動軌跡である場合、前記スマートモバイル端末を作動させて連写を行うステップ
を含むことを特徴とする請求項１に記載の方法。
【請求項６】
所定の運動軌跡を設定する操作者の操作を受信し、前記操作に基づいて動作設定命令を生成するステップと、
前記スマートウェアラブルデバイスが自身の現在の運動軌跡を採集するように、前記スマートウェアラブルデバイスに前記動作設定命令を送信するステップと、
前記スマートウェアラブルデバイスが採集した前記現在の運動軌跡を受信し、且つ前記現在の運動軌跡を、前記スマートモバイル端末を作動させて撮影を行うための前記所定の運動軌跡に設定するステップと
をさらに含むことを特徴とする請求項１に記載の方法。
【請求項７】
スマートウェアラブルデバイスに応用される撮影制御方法であって、
スマートモバイル端末が送信した、前記スマートモバイル端末により自身が撮影状態にあることを検出した際に生成した動作採集命令を受信するステップと、
前記動作採集命令に基づいて自身の運動軌跡を採集し、且つ前記運動軌跡が所定の運動軌跡であることを前記スマートモバイル端末が判断した際に前記スマートモバイル端末を作動させて撮影を行うように、採集した前記運動軌跡を前記スマートモバイル端末に送信するステップと
を含むことを特徴とする撮影制御方法。
【請求項８】
前記スマートモバイル端末が送信した、前記スマートモバイル端末により自身が撮影状態から非撮影状態に切り替わったことを検出した際に生成した検出停止命令を受信し、且つ前記検出停止命令に基づいて、自身の運動軌跡をリアルタイムに送信することを停止するステップ、
または、
前記動作採集命令を受信した後の第２の所定の時間内に前記スマートモバイル端末が送信した前記検出停止命令が受信されていない場合、自身の運動軌跡をリアルタイムに送信することを停止するステップ
をさらに含むことを特徴とする請求項７に記載の方法。
【請求項９】
前記スマートモバイル端末が送信した、前記スマートモバイル端末により前記運動軌跡が所定の運動軌跡であることを検出した際に生成した第１命令を受信し、且つ前記第１命令に基づいて、前記操作者に現在の撮影作動が成功したことを通知するステップ
をさらに含むことを特徴とする請求項７に記載の方法。
【請求項１０】
前記スマートモバイル端末が送信した、前記スマートモバイル端末により操作者の動作設定操作を検出した際に生成した動作設定命令を受信するステップと、
前記動作設定命令に基づいて自身の現在の運動軌跡を検出し、且つ前記スマートモバイル端末が前記現在の移動軌跡を所定の運動軌跡に設定するように、前記現在の運動軌跡を前記スマートモバイル端末に送信するステップと
をさらに含むことを特徴とする請求項７に記載の方法。
【請求項１１】
スマートモバイル端末が撮影状態にあるか否かを検出する、第１検出モジュールと、
前記スマートモバイル端末が撮影状態にある場合、スマートウェアラブルデバイスが自身の運動軌跡を採集するための動作採集命令を前記スマートウェアラブルデバイスに送信する、第１送信モジュールと、
前記スマートウェアラブルデバイスが採集した運動軌跡を受信する、第１受信モジュールと、
前記運動軌跡が所定の運動軌跡であるか否かを判断する、第１判断モジュールと、
前記運動軌跡が所定の運動軌跡である場合、前記スマートモバイル端末を作動させて撮影を行う、作動モジュールと
を備えることを特徴とする撮影制御装置。
【請求項１２】
前記運動軌跡が所定の運動軌跡ではない場合、前記スマートウェアラブルデバイスが送信した次の運動軌跡を受信したか否かをモニタリングし、前記スマートウェアラブルデバイスが送信した前記次の運動軌跡を受信した場合、前記第１判断モジュールにより前記次の運動軌跡が所定の運動軌跡であるか否かを判断させる、第２判断モジュール
をさらに備えることを特徴とする請求項１１に記載の装置。
【請求項１３】
前記運動軌跡が所定の運動軌跡である場合、前記スマートウェアラブルデバイスが操作者に現在の撮影作動が成功したことを通知するための第１命令を前記スマートウェアラブルデバイスに送信する、第２送信モジュール
をさらに備えることを特徴とする請求項１１に記載の装置。
【請求項１４】
前記スマートモバイル端末が撮影状態から非撮影状態に切り替わったか否かを検出する、第２検出モジュールと、
前記スマートモバイル端末が撮影状態から非撮影状態に切り替わったことを検出した場合、前記スマートウェアラブルデバイスが前記運動軌跡をリアルタイムに送信することを停止させるための検出停止命令を前記スマートウェアラブルデバイスに送信する、第３送信モジュールと
をさらに備えることを特徴とする請求項１１に記載の装置。
【請求項１５】
前記作動モジュールは、第１作動サブモジュール及び第２作動サブモジュールを有し、
前記第１作動サブモジュールは、第１の所定の時間内に受信したスマートウェアラブルデバイスの一つの運動軌跡が前記所定の運動軌跡である場合、前記スマートモバイル端末を作動させてシングル撮影を行うことに用いられ、
前記第２作動サブモジュールは、第１の所定の時間内に受信した前記スマートウェアラブルデバイスの少なくとも二つの運動軌跡が所定の運動軌跡である場合、前記スマートモバイル端末を作動させて連写を行うことに用いられ、
または、
前記所定の運動軌跡が第１の所定の運動軌跡及び第２の所定の運動軌跡を含む場合、前記作動モジュールは、第三作動サブモジュール及び第４作動サブモジュールを有し、
前記第三作動サブモジュールは、前記運動軌跡が前記第１の所定の運動軌跡である場合、前記スマートモバイル端末を作動させてシングル撮影を行うことに用いられ、
前記第４作動サブモジュールは、前記運動軌跡前記が第２の所定の運動軌跡である場合、前記スマートモバイル端末を作動させて連写を行うことに用いられる
ことを特徴とする請求項１１に記載の装置。
【請求項１６】
所定の運動軌跡を設定する操作者の操作を受信し、前記操作に基づいて動作設定命令を生成する、設定命令生成モジュールと、
前記スマートウェアラブルデバイスが自身の現在の運動軌跡を検出するように、前記スマートウェアラブルデバイスに前記動作設定命令を送信する、第４送信モジュールと、
前記スマートウェアラブルデバイスが送信した前記現在の運動軌跡を受信し、且つ前記現在の運動軌跡を前記所定の運動軌跡に設定する、第２受信モジュールと
をさらに備えることを特徴とする請求項１１に記載の装置。
【請求項１７】
スマートウェアラブルデバイスに応用される撮影制御装置であって、
スマートモバイル端末が送信した、スマートモバイル端末により自身が撮影状態にあることを検出した際に生成した動作採集命令を受信する、第１受信モジュールと、
前記動作採集命令に基づいて自身の運動軌跡を採集する、第１採集モジュールと、
前記運動軌跡が所定の運動軌跡であることを前記スマートモバイル端末が判断した際に前記スマートモバイル端末を作動させて撮影を行うように、前記運動軌跡を前記スマートモバイル端末に送信する、第１送信モジュールと
を備えることを特徴とする撮影制御装置。
【請求項１８】
前記スマートモバイル端末が送信した検出停止命令を受信する、第２受信モジュールと、
前記スマートモバイル端末により自身が撮影状態から非撮影状態に切り替わったことを検出した際に生成した前記検出停止命令に基づいて、自身の運動軌跡をリアルタイムに送信することを停止させる、第１終了モジュールと、
または、
前記動作採集命令を受信した後の第２の所定の時間内に前記スマートモバイル端末が送信した前記検出停止命令が受信されていない場合、自身の運動軌跡をリアルタイムに送信することを停止させる、第２終了モジュールと
をさらに備えることを特徴とする請求項１７に記載の装置。
【請求項１９】
前記スマートモバイル端末が送信した、前記運動軌跡が所定の運動軌跡であることを前記スマートモバイル端末が検出した際に生成した第１命令を受信する、第３受信モジュールと、
前記第１命令に基づいて前記操作者に現在の撮影作動が成功したことを通知する、通知モジュールと
をさらに備えることを特徴とする請求項１７に記載の装置。
【請求項２０】
スマートモバイル端末が送信した、前記スマートモバイル端末により操作者の動作設定操作を検出した際に生成した動作設定命令を受信する、第４受信モジュールと、
前記動作設定命令に基づいて自身の現在の運動軌跡を検出し、且つ前記スマートモバイル端末が前記現在の移動軌跡を所定の運動軌跡に設定するように、前記現在の運動軌跡を前記スマートモバイル端末に送信する、第２検出モジュールと
をさらに備えることを特徴とする請求項１７に記載の装置。
【請求項２１】
スマートモバイル端末であって、
プロセッサと、
プロセッサにより実行可能な命令を記憶するためのメモリと、を備え、
前記プロセッサは、
スマートモバイル端末が撮影状態にあるか否かを検出し、
スマートモバイル端末が撮影状態にあることを検出した場合、スマートウェアラブルデバイスが自身の運動軌跡を採集するための動作採集命令を前記スマートウェアラブルデバイスに送信し、
前記スマートウェアラブルデバイスが採集した運動軌跡を受信して、前記運動軌跡が所定の運動軌跡であるか否かを判断し、
前記運動軌跡が所定の運動軌跡である場合、前記スマートモバイル端末を作動させて撮影を行うように構成される
ことを特徴とするスマートモバイル端末。
【請求項２２】
スマートウェアラブルデバイスであって、
プロセッサと、
プロセッサにより実行可能な命令を記憶するためのメモリと、を備え、
前記プロセッサは、
スマートモバイル端末が送信した、前記スマートモバイル端末により自身が撮影状態にあることを検出した際に生成した動作採集命令を受信し、
前記動作採集命令に基づいて自身の運動軌跡を採集し、且つ前記運動軌跡が所定の運動軌跡であることを前記スマートモバイル端末が判断した際に前記スマートモバイル端末を作動させて撮影を行うように、採集した前記運動軌跡を前記スマートモバイル端末に送信するように構成される
ことを特徴とするスマートウェアラブルデバイス。
【請求項２３】
プロセッサに実行されることにより、請求項１から請求項１０のいずれか１項に記載の撮影制御方法を実現することを特徴とするプログラム。
【請求項２４】
請求項２３に記載のプログラムが記録された記録媒体。
【国際調査報告】
2017503444.tif 000020
2017503444.tif 000021
2017503444.tif 000022
2017503444.tif 000023